(57)【要約】【課題】利用者に快適な環境を生成するパーティションを提供する。【解決手段】パーティションは、第１構造体１００と、仕切部２００と、空調装置と、を備える。仕切部は、第１構造体に接続される。仕切部は、第１構造体と接続される側の第１端部２１０と、第１端部とは遠位側の第２端部２２０とを有する。仕切部は、所定空間Ｓａを隣接空間Ｓｎに対して仕切るように変形する。空調装置は、第１構造体及び仕切部の少なくとも一方に配置される。空調装置は、空気を冷却する冷却部、空気を加熱する加熱部、及び気流を生成する気流生成部を有する。【選択図】図１
2020033865.tif 000002
【特許請求の範囲】
【請求項１】
第１構造体（１００，１００’，１００Ａ，１００Ｃ，１００Ｄ，１００Ｅ，１００Ｆ）と、
前記第１構造体に接続され、前記第１構造体と接続される側の第１端部（２１０，２１０Ｂ，２１０Ｃ，２１０Ｄ，２１０Ｅ）と前記第１端部とは遠位側の第２端部（２２０，２２０Ｂ，２２０Ｃ，２２０Ｄ，２２０Ｅ）とを有し、所定空間（Ｓａ）を隣接空間（Ｓｎ）に対して仕切るように変形する可変形仕切部（２００，２００Ｂ，２００Ｃ，２００Ｄ，２００Ｅ，２００Ｆ）と、
前記第１構造体及び前記可変形仕切部の少なくとも一方に配置され、空気を冷却する冷却部（３３０，２３２Ｄ，２８０Ｅａ）、空気を加熱する加熱部（３３０，２３２Ｄ，２８０Ｅｂ）、及び気流を生成する気流生成部（６００）の少なくとも１つを有する空気環境調整部（３００，２３０Ｄ，２８０Ｅ，３００Ｆ）と、
を備えたパーティション（１，１Ａ，１Ｂ，１Ｃ，１Ｄ，１Ｅ，１Ｆ）。
【請求項２】
前記可変形仕切部は、前記第１構造体の内部に収容される、又は前記第１構造体の外周に巻き回される、又は前記第１構造体の近傍で折り畳まれる第１状態と、前記可変形仕切部を水平方向に全方位から見たときの面積の最大値が、前記第１状態に比べて大きな第２状態と、に変形可能である、
請求項１に記載のパーティション。
【請求項３】
前記可変形仕切部は、形態の異なる複数の前記第２状態を取ることが可能である、
請求項２に記載のパーティション。
【請求項４】
前記可変形仕切部は、第１面（２００ａ，２００Ｂａ，２００Ｃａ，２００Ｅａ）と前記第１面とは反対側に配置される第２面（２００ｂ，２００Ｂｂ，２００Ｃｂ，２００Ｅｂ）とを有し、
前記可変形仕切部は、前記第１面側に凸の第１形態と、前記第２面側に凸の第２形態と、を前記第２状態として取ることが可能である、
請求項３に記載のパーティション。
【請求項５】
前記空気環境調整部は、前記気流生成部を少なくとも有し、
前記気流生成部は、前記可変形仕切部が前記第２状態として前記第１形態と前記第２形態とのいずれを取るかに応じて異なる気流を生成する、
請求項４に記載のパーティション。
【請求項６】
前記空気環境調整部は、前記第１構造体に配置される吹出口（３５２）から空気を吹き出させる前記気流生成部を少なくとも有し、
前記吹出口は、前記可変形仕切部の前記第１端部の近傍に配置される、
請求項２から４のいずれか１項に記載のパーティション。
【請求項７】
前記吹出口は、前記第２状態の前記可変形仕切部の表面の少なくとも一部に沿って空気を吹き出す、
請求項６に記載のパーティション。
【請求項８】
前記空気環境調整部は、前記可変形仕切部に配置される吹出口（３５７）から空気を吹き出させる前記気流生成部を少なくとも有する、
請求項２から４のいずれか１項に記載のパーティション。
【請求項９】
前記気流生成部は、風向を調節する風向調節機構（３５８，３５９）を更に有する、
請求項８に記載のパーティション。
【請求項１０】
前記第１構造体は、第１方向を軸方向として延びる柱状形状を有し、
前記第１方向が上下方向になるように前記第１構造体が設置される場合には、前記第２状態において、前記可変形仕切部の前記第１端部と前記第２端部とは、同一高さであって水平方向に離れた位置に配置され、
前記第１方向が水平方向になるように前記第１構造体が設置される場合には、前記第２状態において、前記可変形仕切部の前記第１端部と前記第２端部とは、異なる高さに配置される、
請求項２から９のいずれか１項に記載のパーティション。
【請求項１１】
前記空気環境調整部は、前記可変形仕切部の内部に第１流体を流す、
請求項１から１０のいずれか１項に記載のパーティション。
【請求項１２】
前記第１流体は空気である、
請求項１１に記載のパーティション。
【請求項１３】
前記冷却部（２３２Ｄ）及び前記加熱部（２３２Ｄ）の少なくとも一方は、蓄熱材（２３２Ｄａ）を有する、
請求項１から１０のいずれか１項に記載のパーティション。
【請求項１４】
前記空気環境調整部は、前記第１構造体内に設けられるヒートポンプで空気を冷却する前記冷却部（３３０）、及び、前記第１構造体内に設けられるヒートポンプで空気を加熱する前記加熱部（３３０）の少なくとも一方を有し、
前記ヒートポンプで空気を冷却する際及び前記ヒートポンプで空気を加熱する際に生じる廃熱は、
Ａ）前記廃熱が前記所定空間の温度に与える影響の小さな第１空間（Ｓ１）、又は、前記パーティションが有する人検知センサ（２０）の検知結果に基づき人がいないと判断される第２空間（Ｓ２）に排熱される、
又は、
Ｂ）前記第１構造体内に設けられた蓄熱材（３４２）に蓄熱される、
請求項１から１２のいずれか１項に記載のパーティション。
【請求項１５】
前記空気環境調整部に対して電力を供給する蓄電池（１０）を更に備え、
前記パーティションは可搬式である、
請求項１から１４のいずれか１項に記載のパーティション。
【請求項１６】
前記第１構造体は、上下方向を軸方向として延びる柱状形状を有し、
前記第１構造体は、自立支援用の脚部（１２０）を有する、
請求項１から９のいずれか１項に記載のパーティション。
【請求項１７】
前記所定空間にいる人の覚醒度を把握する覚醒度把握部（４１２）と、
前記覚醒度把握部の把握した前記人の覚醒度に応じて、前記空気環境調整部（３００，２８０Ｅ）、前記パーティションに設けられている芳香物質を放出する放出部（３０）、及び前記パーティションに設けられている照明装置（４０）、の少なくとも１つを制御する制御部（４１０）と、
を更に備える、
請求項１から１６のいずれか１項に記載のパーティション。
【請求項１８】
前記所定空間にいる人に関する情報を記憶する外部機器（５００）と通信を行う通信部（４３０）と、
前記外部機器から前記通信部を介して受信した前記所定空間にいる人に関する情報、又は、前記通信部を介して受信した前記外部機器が前記所定空間にいる人に関する情報に基づいて生成した指令に基づいて、前記空気環境調整部を制御する制御部（４１０）と、
を更に備える、
請求項１から１６のいずれか１項に記載のパーティション。
【請求項１９】
前記気流生成部は、空気中の塵埃を除去するフィルタ（３５１ａ）を含む、
請求項１から１８のいずれか１項に記載のパーティション。
【発明の詳細な説明】
【技術分野】
【０００１】
空間を仕切るパーティションに関する。
【背景技術】
【０００２】
近年、オフィスなどで、空間が仕切りにより仕切られていないオープンフロアの採用が増加しつつある。オープンフロアを採用することで、オープンフロアで働く人々の創造性や協調性の向上等のメリットが期待されている。
【発明の概要】
【発明が解決しようとする課題】
【０００３】
しかし一方で、作業等に集中したい場合等には、オープンフロアは最適とは言えず、例えば特許文献１（特開２０００−８３７８２号公報）に開示されているようなパーティションを設け、一時的に空間を仕切って利用する等の対応が取られる場合がある。
【０００４】
しかし、特許文献１（特開２０００−８３７８２号公報）のパーティションでは、パーティションに仕切られた空間を、利用者に快適な空間にするという観点からは改善の余地がある。
【課題を解決するための手段】
【０００５】
第１観点のパーティションは、第１構造体と、可変形仕切部と、空気環境調整部と、を備える。可変形仕切部は、第１構造体に接続される。可変形仕切部は、第１構造体と接続される側の第１端部と、第１端部とは遠位側の第２端部とを有する。可変形仕切部は、所定空間を隣接空間に対して仕切るように変形する。空気環境調整部は、第１構造体及び可変形仕切部の少なくとも一方に配置される。空気環境調整部は、空気を冷却する冷却部、空気を加熱する加熱部、及び気流を生成する気流生成部の少なくとも１つを有する。
【０００６】
ここでは、パーティションにより周囲と仕切られた利用者に快適な空間を容易に作り出すことができる。
【０００７】
第２観点のパーティションは、第１観点のパーティションであって、可変形仕切部は、第１状態と、第２状態と、に変形可能である。第１状態の可変形仕切部は、第１構造体の内部に収容される、又は、第１構造体の外周に巻き回される、又は、第１構造体の近傍で折り畳まれる。第２状態は、可変形仕切部を水平方向に全方位から見たときの面積の最大値が、第１状態に比べて大きな状態である。
【０００８】
ここでは、使用時には可変形仕切部が第２状態を取ることでパーティションにより比較的広い所定空間を隣接空間に対して仕切ることができる。一方で、不使用時には可変形仕切部が第１状態を取ることでパーティションを小さなスペースに収納できる。
【０００９】
第３観点のパーティションは、第２観点のパーティションであって、可変形仕切部は、形態の異なる複数の第２状態を取ることが可能である。
【００１０】
ここでは、ニーズに応じて空間を複数の異なる形状に仕切ることができ利便性が高い。
【００１１】
第４観点のパーティションは、第３観点のパーティションであって、可変形仕切部は、第１面と第１面とは反対側に配置される第２面とを有する。可変形仕切部は、第１面側に凸の第１形態と、第２面側に凸の第２形態と、を第２状態として取ることが可能である。
【００１２】
ここでは、ニーズに応じて空間を異なる形状に仕切ることができ利便性が高い。
【００１３】
第５観点のパーティションは、第４観点のパーティションであって、空気環境調整部は、気流生成部を少なくとも有する。気流生成部は、可変形仕切部が第２状態として第１形態と第２形態とのいずれを取るかに応じて異なる気流を生成する。
【００１４】
ここでは、可変形仕切部が突出する方向に応じて異なる気流が生成されるため、パーティションにより仕切られる空間の空気環境を精度よく調整することが可能である。
【００１５】
第６観点のパーティションは、第２観点から第４観点のいずれかのパーティションであって、空気環境調整部は、第１構造体に配置される吹出口から空気を吹き出させる気流生成部を少なくとも有する。吹出口は、可変形仕切部の第１端部の近傍に配置される。
【００１６】
第７観点のパーティションは、第６観点のパーティションであって、吹出口は、第２状態の可変形仕切部の表面の少なくとも一部に沿って空気を吹き出す。
【００１７】
ここでは、可変形仕切部が気流のガイドとしても利用されるため、パーティションにより仕切られる空間の空気環境を精度よく調整することが可能である。
【００１８】
第８観点のパーティションは、第２観点から第４観点のいずれかのパーティションであって、空気環境調整部は、可変形仕切部に配置される吹出口から空気を吹き出させる気流生成部を少なくとも有する。
【００１９】
ここでは、可変形仕切部から空気が吹き出すため、第１構造体に吹出口を設ける場合に比べ、第１構造体から離れた位置に届くように空気を吹き出すことが容易である。
【００２０】
第９観点のパーティションは、第８観点のパーティションであって、気流生成部は、風向を調節する風向調節機構を更に有する。
【００２１】
ここでは、風向調節機構を設けることで、隣接空間に対して仕切られる所定空間の空気環境を精度よく調節することが可能である。
【００２２】
第１０観点のパーティションは、第２観点から第９観点のいずれかのパーティションであって、第１構造体は、第１方向を軸方向として延びる柱状形状を有する。第１方向が上下方向になるように第１構造体が設置される場合には、第２状態において、可変形仕切部の第１端部と第２端部とは、同一高さであって水平方向に離れた位置に配置される。第１方向が水平方向になるように第１構造体が設置される場合には、第２状態において、可変形仕切部の第１端部と第２端部とは、異なる高さに配置される。
【００２３】
ここでは、第１構造体の設置状態を変更できるので、パーティションにより仕切られる空間の形状の自由度が高い。
【００２４】
第１１観点のパーティションは、第１観点から第１０観点のいずれかのパーティションであって、空気環境調整部は、可変形仕切部の内部に第１流体を流す。
【００２５】
第１２観点のパーティションは、第１１観点のパーティションであって、第１流体は空気である。
【００２６】
第１３観点のパーティションは、第１観点から第１０観点のいずれかのパーティションであって、冷却部及び加熱部の少なくとも一方は、蓄熱材を有する。
【００２７】
ここでは、冷却部や加熱部に蓄熱材を利用することで、パーティションの構成・構造を単純化しつつ、空気の冷却や加熱を実現することができる。
【００２８】
第１４観点のパーティションは、第１観点から第１２観点のいずれかのパーティションであって、空気環境調整部は、第１構造体内に設けられるヒートポンプで空気を冷却する冷却部、及び、第１構造体内に設けられるヒートポンプで空気を加熱する加熱部の少なくとも一方を有する。ヒートポンプで空気を冷却する際及びヒートポンプで空気を加熱する際に生じる廃熱は、
Ａ）廃熱が所定空間の温度に与える影響の小さな第１空間、又は、パーティションが有する人検知センサの検知結果に基づき人がいないと判断される第２空間に排熱される、
又は、
Ｂ）第１構造体内に設けられた蓄熱材に蓄熱される。
【００２９】
ここでは、人に対する廃熱の影響を抑制しつつ、比較的自由な位置にパーティションを配置して、ヒートポンプを利用して空気を冷却／加熱し、温度調整された快適な空間を容易に作り出すことができる。
【００３０】
第１５観点のパーティションは、第１観点から第１４観点のいずれかのパーティションであって、空気環境調整部に対して電力を供給する蓄電池を更に備える。パーティションは、可搬式である。
【００３１】
ここでは、電源の確保が難しい場所であっても、パーティションにより空気環境の調整された快適な空間を作り出すことができ、空間利用の柔軟性が高い。
【００３２】
第１６観点のパーティションは、第１観点から第９観点のいずれかのパーティションであって、第１構造体は、上下方向を軸方向として延びる柱状形状を有する。第１構造体は、自立支援用の脚部を有する。
【００３３】
ここでは、脚部により第１構造体の転倒を抑制でき、安全性が高い。
【００３４】
第１７観点のパーティションは、第１観点から第１６観点のいずれかのパーティションであって、覚醒度把握部と、制御部と、を更に備える。覚醒度把握部は、所定空間にいる人の覚醒度を把握する。制御部は、覚醒度把握部の把握した人の覚醒度に応じて、空気環境調整部、パーティションに設けられている芳香物質を放出する放出部、及びパーティションに設けられている照明装置、の少なくとも１つを制御する。
【００３５】
ここでは、人の覚醒度に応じて、パーティションにより形成される所定空間の空気環境、香り及び照明の少なくとも１つを変更することができるため、所定空間にいる人の覚醒度を向上させ、作業性等を向上させることができる。
【００３６】
第１８観点のパーティションは、第１観点から第１６観点のいずれかのパーティションであって、通信部と、制御部と、を更に備える。通信部は、所定空間にいる人に関する情報を記憶する外部機器と通信を行う。制御部は、外部機器から通信部を介して受信した所定空間にいる人に関する情報、又は、通信部を介して受信した外部機器が所定空間にいる人に関する情報に基づいて生成した指令に基づいて、空気環境調整部を制御する。
【００３７】
ここでは、所定空間にいる人に関する情報に基づいて、所定空間の空気環境を利用者にとって好ましい空気環境に調整することが容易である。
【００３８】
第１９観点のパーティションは、第１観点から第１８観点のいずれかのパーティションであって、気流生成部は、空気中の塵埃を除去するフィルタを含む。
【００３９】
ここでは、パーティションから吹き出す空気の清浄度を向上させることができる。
【図面の簡単な説明】
【００４０】
【図１】第１実施形態に係るパーティションであって、可変形仕切部が第２状態にあるパーティションの概略斜視図である。
【図２】可変形仕切部が第１状態にある図１のパーティションの概略斜視図である。
【図３】可変形仕切部が図１とは異なる形状の第２状態にある、第１実施形態のパーティションの概略斜視図である。
【図４Ａ】図１のパーティションのブロック構成図の一例である。
【図４Ｂ】図１のパーティションのブロック構成図の他の例である。
【図４Ｃ】図１のパーティションのブロック構成図の他の例である。
【図５】図１のパーティションの空調装置の概略構成図である。
【図６】図１のパーティションの概略平面図であって、第１形態の可変形仕切部を実線で、第２形態の可変形仕切部を二点鎖線で、描画している。図６では、第１構造体については概略断面図を示している。
【図７】図６の第１構造体とは吹出口の形状が異なる、他の例に係る第１構造体の概略断面図を示している。
【図８】図１のパーティションの蓄電池を充電するための充電装置の概略斜視図である。
【図９】図１のパーティションの、脚部を張り出した状態の第１構造体を上方から見た概略平面図である。
【図１０】図９の第１構造体の脚部の構造を説明するための概略側面図である。
【図１１】可変形仕切部が第１状態にある変形例１Ａのパーティションの概略斜視図である。
【図１２】可変形仕切部が第１状態にある変形例１Ｂのパーティションの概略斜視図である。
【図１３】可変形仕切部が第２状態にある図１２のパーティションの概略斜視図である。
【図１４Ａ】変形例１Ｃのパーティションを上方から見た概略平面図である。
【図１４Ｂ】図１４Ａのパーティションの仕切部に形成された吹出口の周辺の概略拡大図である。
【図１５】変形例１Ｄに係る、第１構造体を水平設置した時の、可変形仕切部が第２状態にあるパーティションの概略側面図である。
【図１６】第２実施形態に係るパーティションであって、可変形仕切部が第２状態にあるパーティションの概略斜視図である。
【図１７】図１６のパーティションの、蓄熱部の配置について説明する図である。
【図１８】図１６のパーティションのブロック構成図の一例である。
【図１９】第３実施形態に係るパーティションであって、可変形仕切部が第２状態にあるパーティションの概略斜視図である。
【図２０】図１９のパーティションのブロック構成図の一例である。
【図２１】第４実施形態に係るパーティションであって、可変形仕切部が第２状態にあるパーティションの概略斜視図である。
【図２２】第４実施形態に係るパーティションの空調装置の概略構成図である。
【発明を実施するための形態】
【００４１】
パーティションの実施形態について以下に説明する。
【００４２】
＜第１実施形態＞
第１実施形態のパーティション１について、図１〜図１０を参照しながら説明する。
【００４３】
図１〜図３は、後述する仕切部２００の状態や形状が互いに異なるパーティションを描画した概略斜視図である。図４Ａ〜図４Ｃは、パーティション１のブロック構成図の例である。図５は、パーティション１が有する空調装置３００の概略構成図である。図６は、パーティション１の概略平面図であって、仕切部２００の異なる２つの形態を実線と二点鎖線とで描画している。なお、図６では、後述する第１構造体１００については、その内部構造を示すため、概略断面図を示している。図７は、図６の第１構造体１００とは形成されている吹出口の形状が異なる、第１構造体１００’の概略断面図を示している。図８は、パーティション１の後述する蓄電池１０を充電するための充電装置１２の概略斜視図である。図９は、パーティション１の、後述する脚部１２０を張り出した状態の第１構造体１００を上方から見た概略平面図である。図１０は、第１構造体１００の脚部１２０の構造を説明するための概略側面図である。
【００４４】
（１）全体構成
パーティション１について概説する。
【００４５】
パーティション１は、仕切部２００により、空間Ｓａと、空間Ｓａに隣接する隣接空間Ｓｎとを仕切る装置である（図１参照）。
【００４６】
パーティション１は、好ましくは可搬式の装置である。パーティション１は、利用場所を限定するものではないが、例えばオフィス等で使用される装置である。例えば、パーティション１は、オープンオフィス内で利用され、オープンオフィス内の所望の位置にセミプライベートな空間Ｓａを作り出す事ができる。空間Ｓａで作業等をする人は、仕切部２００の遮蔽・防音機能により隣接空間Ｓｎにおける人の動きや隣接空間Ｓｎで発生する音の影響を受けにくく、作業等に集中しやすくなる。また、逆に、空間Ｓａで打合せ等が行われる場合には、仕切部２００の遮蔽・防音機能により隣接空間Ｓｎにおける人の活動に与える悪影響を抑制することができる。
【００４７】
特に、本パーティション１では、後述するように仕切部２００の形状が可変である。そのため、本パーティション１は、設置スペースの制限や、空間Ｓａを利用する人の数や、空間Ｓａで行われる作業内容等の条件に応じた形状の空間Ｓａを作り出すことができる。また、本パーティション１は、仕切部２００の形状が可変であるため、不使用時に仕切部２００をコンパクトな形状に変形させることで、比較的小さなスペースにパーティション１を保管可能である。
【００４８】
さらに、本パーティション１は、空気環境調整機能（冷房機能、暖房機能及び送風機能）を有する。そのため、本パーティション１は、空気環境に関して快適性の高い空間Ｓａを作り出すことができる。
【００４９】
パーティション１は、主に、第１構造体１００と、可変形仕切部の一例としての仕切部２００と、空気環境調整部の一例としての空調装置３００と、を備える（図４Ａ〜図４Ｃ参照）。また、パーティション１は、好ましくは蓄電池１０を備える（図４Ａ〜図４Ｃ参照）。また、パーティション１は、好ましくは制御装置４００を備える。また、パーティション１は、好ましくは人検知センサ２０を備える（図４Ａ〜図４Ｃ参照）。また、パーティション１は、好ましくは香り放出装置３０を備える（図４Ａ〜図４Ｃ参照）。また、パーティション１は、好ましくは照明装置４０を備える（図４Ａ〜図４Ｃ参照）。
【００５０】
（２）詳細構成
以下に、仕切部２００、第１構造体１００、空調装置３００、制御装置４００、蓄電池１０、人検知センサ２０、香り放出装置３０、及び照明装置４０について説明する。
【００５１】
本実施形態では、空調装置３００、制御装置４００、蓄電池１０、人検知センサ２０、香り放出装置３０、及び照明装置４０は、第１構造体１００に設けられる。そのため、ここでは、第１構造体１００の説明の中で、空調装置３００、制御装置４００、蓄電池１０、人検知センサ２０、香り放出装置３０、及び照明装置４０について説明を行う。なお、空調装置３００、制御装置４００、蓄電池１０、人検知センサ２０、香り放出装置３０、及び照明装置４０は、構造的に可能であれば、第１構造体１００に代えて仕切部２００に設置されてもよい。例えば、人検知センサ２０、香り放出装置３０、及び照明装置４０は、第１構造体１００ではなく、仕切部２００に取り付けられてもよい。
【００５２】
（２−１）仕切部
仕切部２００は、後述する第２状態に変形された状態で、空間Ｓａと隣接空間Ｓｎとを仕切る部材である（図１参照）。空間Ｓａは、後述する仕切部２００の第１面２００ａ及び第２面２００ｂの一方に面し、隣接空間Ｓｎは、後述する仕切部２００の第１面２００ａ及び第２面２００ｂの他方に面する。
【００５３】
仕切部２００は、限定されるものではないが、好ましくは一体に構成された部材である。なお、ここでの一体に構成された部材は、単一の部品で構成された部材に限定されない。ここでの一体に構成された部材には、複数の部品で構成されているものの、通常の使用時には部品に分解されることがない部材も含む。ここでの通常の使用時には、仕切部２００を後述するように展開状態（第２状態）にして使用している時の他、仕切部２００を後述する収容状態（第１状態）で保管している時や、仕切部２００を後述するように収容状態と展開状態との間で変形させる時も含む。言い換えれば、ここでは、一体に構成された部材には、複数の部品から仕切部２００が組み立てられると、損傷等の異常が発生しない限り部品に分解されない部材を含む。
【００５４】
仕切部２００は、その一端（第１端部２１０）が、第１構造体１００に接続される（図１参照）。なお、本実施形態では、パーティション１の使用時に、第１構造体１００は、立てた状態で（上下方向に延びるように）床面に設置される。以下の仕切部２００の説明では、仕切部２００が接続されている第１構造体１００が立てられた状態を基準として、上、下、鉛直、水平等の方向を示す語を用いる。
【００５５】
仕切部２００は、第１構造体１００と接続される側の第１端部２１０と、第１端部２１０とは遠位側の第２端部２２０とを有し、第１端部２１０から第２端部２２０まで延びる。限定するものではないが、第１端部２１０から第２端部２２０までの長さ（仕切部２００を平面状に伸ばした時の長さ）は、例えば２０００ｍｍである。
【００５６】
仕切部２００は、上下方向に第１構造体１００と概ね同一の長さ（高さ）を有する。限定されるものではないが、仕切部２００の高さは、例えば１２００ｍｍである。
【００５７】
仕切部２００は、例えば、上下方向に延びる剛性の高い複数の縦フレーム２５０が、水平方向に延びる変形可能な横フレーム２６０により接続されて構成されている（図１及び図３参照）。縦フレーム２５０は、例えば、金属製や、剛性の高い樹脂製である。横フレーム２６０は、例えば柔軟性のある材料で製造されている。
【００５８】
仕切部２００は、第１構造体１００の外周に巻き回された第１状態（図２参照）と、空間Ｓａと隣接空間Ｓｎとを仕切るように広げられた第２状態（図１及び図３参照）と、に変形可能である。第２状態の仕切部２００を水平方向に見た時の面積の最大値は、第１状態の仕切部２００を水平方向に見た時の面積の最大値に比べて大きい。第１状態は、パーティション１の不使用時に仕切部２００が取る状態であり、非使用状態や、収納状態とも呼ばれる。第２状態は、パーティション１の使用時に仕切部２００が取る状態であり、使用状態や、展開状態とも呼ばれる。
【００５９】
なお、仕切部２００は、形態の異なる複数の第２状態を取ることが可能であることが好ましい。仕切部２００が複数の形態を第２状態として取ることができることで、パーティション１の利用者は、ニーズに応じて空間Ｓａを様々な形状に仕切ることが可能で利便性が高い。
【００６０】
例えば、本実施形態では、仕切部２００は、図１のように略Ｃ字形状の第２状態を取ることができる。また、本実施形態では、仕切部２００は、図３のように波形状の第２状態を取ることができる。
【００６１】
また、本実施形態では、仕切部２００は、平面視において、第１面２００ａ側に凸の第１形態（図６実線参照）と、第２面２００ｂ側に凸の第２形態（図６二点鎖線参照）と、を第２状態として取ることが可能である。言い換えれば、仕切部２００は、後述する第１構造体１００のケーシング１１０の軸方向に沿ってパーティション１を見た時に、第１面２００ａ側に凸の第１形態と、第２面２００ｂ側に凸の第２形態と、を第２状態として取ることが可能である。なお、仕切部２００の第１面２００ａは、第１端部２１０から第２端部２２０へと向かって延びる仕切部２００の一方側の面（ここでは、図６の平面図内で上方側に配置されている面）である。仕切部２００の第２面２００ｂは、仕切部２００の第１面２００ａとは反対側に配置される面（ここでは、図６の平面図内で下方側に配置されている面）である。
【００６２】
なお、図６に実線及び二点鎖線で示した仕切部２００の形状は、一方向にのみ凸な形状である。これに対し、図３に示す仕切部２００の形状は、複数箇所に凸を有する形状であり、第１面２００ａ側に凸な部分と、第２面２００ｂ側に凸な部分と、を有する。ここでは、限定するものではないが、複数箇所に凸を有する形状である場合には、第１端部２１０に最も近い凸の方向に基づいて第１形態と第２形態とを判断するものとする。
【００６３】
なお、図１、図３、図６等で描画した第２状態の仕切部２００の形態は例示に過ぎず、第２状態の仕切部２００の取りうる形態は図示した形態に限定されない。
【００６４】
仕切部２００の第１面２００ａ及び第２面２００ｂでは、例えば図１のように、縦フレーム２５０がそのまま露出していてもよい。また、他の形態では、第１面２００ａ及び第２面２００ｂでは、縦フレーム２５０は、織物、編物、布地等のファブリックで覆われていてもよい。
【００６５】
（２−２）第１構造体
第１構造体１００は、第１方向を軸方向として延びる、柱状形状のケーシング１１０を有する（図１参照）。本実施形態では、ケーシング１１０は、円柱形状である。ただしケーシング１１０の形状は、円柱形状に限定されるものではなく、楕円柱形状、多角形柱形状等、他の形状であってもよい。本実施形態では、パーティション１の使用時に、第１構造体１００は、前記の第１方向、すなわちケーシング１１０の軸方向が上下方向になるように設置される。
【００６６】
ケーシング１１０は、その内部に各種機器や各種部材を収容する。また、ケーシング１１０は、ケーシング１１０の外面に取り付けられる各種機器や各種部材を支持する。例えば、本実施形態では、ケーシング１１０の内部に、空調装置３００、制御装置４００、人検知センサ２０、及び香り放出装置３０が少なくとも部分的に収容される。また、ケーシング１１０の外面に、照明装置４０が取り付けられる。
【００６７】
また、第１構造体１００のケーシング１１０には仕切部２００が接続される。第１構造体１００は、仕切部２００の転倒を抑制するように仕切部２００の自立を支援する。また、第１構造体１００のケーシング１１０は、パーティション１の収納時に仕切部２００が巻き付けられるコア部分としての機能を有する。
【００６８】
第１構造体１００のケーシング１１０は、ケーシング１１０の自立支援用の脚部１２０を有することが好ましい。例えば、ケーシング１１０は、図９のように、３本の脚部１２０を有する。ただし、脚部１２０の数は、３本に限定されず、脚部１２０の転倒抑制の機能を果たすように適宜決定されればよい。なお、脚部１２０は転倒抑制を主な目的とした部材であり、第１構造体１００を含むパーティション１は、脚部１２０がなくても自立可能であることが好ましい。
【００６９】
一実施形態では、脚部１２０は、軸１２０ａに揺動可能に支持され、軸１２０ａ周りに回転可能に構成されている。パーティション１の不使用時（図２のように、仕切部２００が第１状態にある時）には、脚部１２０は、図１０に破線で示したようにケーシング１１０の下部外面に形成された凹部１１０ａに収容される。一方、図１や図３のように仕切部２００を広げてパーティション１を使用する時には、脚部１２０は凹部１１０ａの外に張り出すように軸１２０ａ周りに回転させられ、脚部１２０の先端は図１０に実線で示すように床面に接触する（図１及び図３では脚部１２０の描画を省略している）。先端が床面に接触した脚部１２０は、転倒を抑制するようにケーシング１１０を支持する。
【００７０】
なお、脚部１２０は、手動で軸１２０ａ周りに回転させられてもよい。また、脚部１２０は、バネ等を利用した開閉機構や、パーティション１に設けられた図示しないスイッチにより操作されるモータにより、軸１２０ａ周りに回転させられてもよい。
【００７１】
なお、パーティション１は、脚部１２０を凹部１１０ａから張り出させないと、（例えば図示されないセンサにより脚部１２０が凹部１１０ａから張り出したことが検知されないと）空調装置３００等が使用できないように構成されてもよい。このように構成されることで、パーティション１の転倒事故の発生が特に抑制されやすい。
【００７２】
（２−２−１）空調装置
パーティション１が有する空調装置３００について説明する。空調装置３００は、第１構造体１００のケーシング１１０内に設けられる。空調装置３００は、空気環境調整部の一例である。空調装置３００は、ヒートポンプ式の空調装置である。
【００７３】
本実施形態では、空調装置３００は、冷房及び暖房を行うことが可能な装置である。つまり、空調装置３００は、後述するように、利用側熱交換器３３０で空気を冷却又は加熱可能な装置である。
【００７４】
また、空調装置３００は、利用側ファン３５０を利用して、空気を送風可能な装置である。具体的には、空調装置３００は、利用側ファン３５０により気流を生成することで、ケーシング１１０に形成された吸込口３５１からケーシング１１０内に取り込んだ空気を、利用側熱交換器３３０を通過させて、ケーシング１１０に形成された吹出口３５２から吹き出す装置である（図４Ａ〜図４Ｃ参照）。利用側熱交換器３３０を通過する空気は、ヒートポンプが運転されている時には利用側熱交換器３３０で冷却又は加熱され、ヒートポンプが運転されていない時（利用側ファン３５０だけが運転されている時）には、冷却も加熱もされない。
【００７５】
なお、空調装置３００は、冷房及び暖房を行うことが可能な装置に限定されるものではない。例えば、空調装置３００は、冷房のみを行うことが可能な冷房専用機であってもよい。また、例えば、空調装置３００は、暖房のみを行うことが可能な暖房専用機であってもよい。なお、空調装置３００が冷房専用機又は暖房専用機である場合、空調装置３００は、後述する流路切換機構３７０を有していなくてもよい。
【００７６】
空調装置３００は、図５に示すように、圧縮機３１０、流路切換機構３７０、利用側熱交換器３３０、膨張機構３８０、及び熱源側熱交換器３４０等の機器を配管で接続した冷媒回路３２０を有する。また、空調装置３００は、利用側熱交換器３３０を空気が通過するように気流を生成する利用側ファン３５０と、熱源側熱交換器３４０を空気が通過するように気流を生成する熱源側ファン３６０と、を有する（図５参照）。空調装置３００の動作は、制御部３９０により制御される（図５参照）。
【００７７】
（２−２−１−１）圧縮機
圧縮機３１０は、冷凍サイクルにおける低圧の冷媒を吸入し圧縮して吐出する装置である。圧縮機３１０は、例えば、インバータ制御される容量調節可能な（モータの回転数を調節可能な）圧縮機である。ただし、これに限定されるものではなく、圧縮機３１０は、容量一定の圧縮機であってもよい。
【００７８】
（２−２−１−２）流路切換機構
流路切換機構３７０は、運転モード（冷房運転モード／暖房運転モード）に応じて、冷媒回路３２０における冷媒の流れ方向を切り換える機構である。本実施形態では、流路切換機構３７０は四路切換弁である。ただし、流路切換機構３７０は、四路切換弁に限られるものではなく、複数の電磁弁及び配管を組み合わせることで、以下のような冷媒の流路の切り換えを実現できるように構成されてもよい。
【００７９】
冷房運転モードでは、流路切換機構３７０は、圧縮機３１０が吐出する冷媒が熱源側熱交換器３４０に送られるように、冷媒回路３２０における冷媒の流路を切り換える。（図５の流路切換機構３７０中の実線参照）。具体的には、冷房運転モードでは、流路切換機構３７０は、吸入管３２０ａと第２ガス冷媒管３２０ｅとを連通させる。吸入管３２０ａは、圧縮機３１０の吸入側と流路切換機構３７０とを接続する配管である。第２ガス冷媒管３２０ｅは、利用側熱交換器３３０のガス側と流路切換機構３７０とを接続する配管である。また、冷房運転モードでは、流路切換機構３７０は、吐出管３２０ｂと第１ガス冷媒管３２０ｃとを連通させる。吐出管３２０ｂは、圧縮機３１０の吐出側と流路切換機構３７０とを接続する配管である。第１ガス冷媒管３２０ｃは、熱源側熱交換器３４０のガス側と流路切換機構３７０とを接続する配管である。
【００８０】
暖房運転モードでは、流路切換機構３７０は、圧縮機３１０が吐出する冷媒が利用側熱交換器３３０に送られるように、冷媒回路３２０における冷媒の流向を切り換える（図５の流路切換機構３７０中の破線参照）。具体的には、暖房運転モードでは、流路切換機構３７０は、吸入管３２０ａを第１ガス冷媒管３２０ｃと連通させ、吐出管３２０ｂを第２ガス冷媒管３２０ｅと連通させる（図５中の破線参照）。
【００８１】
（２−２−１−３）熱源側熱交換器
熱源側熱交換器３４０は、空気と熱源側熱交換器３４０内を流れる冷媒とを熱交換させる熱交換器である。熱源側熱交換器３４０は、冷房運転時には放熱器（凝縮器）として機能し、暖房運転時には蒸発器として機能する。
【００８２】
熱源側熱交換器３４０は、限定するものではないが、伝熱管（図示省略）と多数のフィン（図示省略）とにより構成されるクロスフィン式のフィン・アンド・チューブ型熱交換器である。
【００８３】
（２−２−１−４）熱源側ファン
熱源側ファン３６０は、空調装置３００が収容されているケーシング１１０に形成されている吸気口３６１からケーシング１１０内に流入し、熱源側熱交換器３４０を通過して、ケーシング１１０に形成されている排気口３６２からケーシング１１０外へ流出する空気の流れを生成する装置である。
【００８４】
本実施形態では、熱源側ファン３６０はプロペラファンである。ただし、熱源側ファン３６０は、他のタイプのファンであってもよい。
【００８５】
また、本実施形態では、熱源側ファン３６０は、熱源側ファン３６０が生成する空気の流れ方向において、熱源側熱交換器３４０よりも下流側に配置されるが、これに限定されるものではなく、熱源側熱交換器３４０よりも上流側に配置されてもよい。
【００８６】
吸気口３６１は、例えば、ケーシング１１０の側面に形成される。吸気口３６１には、好ましくは、空気中の塵埃を除去するためのフィルタ３６１ａが設けられている。フィルタ３６１ａは、熱源側ファン３６０が生成する空気の流れ方向において、吸気口３６１の下流側で、熱源側ファン３６０や熱源側熱交換器３４０の上流側に設けられてもよい。
【００８７】
排気口３６２は、例えば、パーティション１の設置される部屋の床下空間に排気できるように、ケーシング１１０の底面に形成される（図４Ａ参照）。言い換えれば、本パーティション１では、空調装置３００のヒートポンプで利用側熱交換器３３０において空気を冷却する際に熱源側熱交換器３４０で生ずる廃熱（温廃熱）や、空調装置３００のヒートポンプで利用側熱交換器３３０において空気を加熱する際に熱源側熱交換器３４０で生ずる廃熱（冷廃熱）を、床下空間に排熱可能である。なお、床下空間は、廃熱が、パーティション１により仕切られる空間Ｓａの温度に与える影響の小さな第１空間Ｓ１の一例である。ただし、ケーシング１１０の排気口３６２の位置は、ケーシング１１０の底面に限定されるものではなく、第１空間Ｓ１は床下空間に限定されるものではない。例えば、熱源側熱交換器３４０で生ずる廃熱は、ケーシング１１０の上面や側面に形成された排気口３６２から、図示しない排気管を介して、第１空間Ｓ１の一例に係る、パーティション１の設置される部屋の天井裏空間や換気ダクトに排熱されてもよい。
【００８８】
また、熱源側熱交換器３４０で生ずる廃熱の排熱の態様は、上記の態様に限定されるものではない。例えば、排気口３６２はケーシング１１０の上面や側面に設けられ、排気口３６２にはモータ等により向きを変更可能な風向調節機構３６２ａが設けられてもよい（図４Ｂ参照）。風向調節機構３６２ａは、例えば、排気口３６２に設けられるフラップである。そして、後述する制御部３９０は、後述する人検知センサ２０の検知結果に基づき、人がいないと判断される空間（第２空間Ｓ２）に熱源側熱交換器３４０を通過した空気が排気（排熱）されるように、風向調節機構３６２ａを制御してもよい。また、パーティション１の設置される部屋の天井が比較的高い場合には、制御部３９０は、人検知センサ２０の検知結果を用いずに、天井側の空間（パーティション１の上方の空間）を第２空間Ｓ２と判断して、天井側の空間に排気されるように風向調節機構３６２ａを制御してもよい。
【００８９】
また、パーティション１は、排気口３６２及び風向調節機構３６２ａに代えて、熱源側熱交換器３４０を通過した空気を排気する、排気方向を変更可能なノズル（図示せず）を有してもよい。後述する制御部３９０は、後述する人検知センサ２０の検知結果に基づき、人がいないと判断される空間に排気（排熱）するように、ノズルの排気方向を制御してもよい。
【００９０】
また、熱源側熱交換器３４０で生ずる廃熱の処理の態様は、上記の態様に限定されるものではない。例えば、第１構造体１００のケーシング１１０内には、蓄熱材３４２が設けられてもよい（図４Ｃ参照）。そして、熱源側熱交換器３４０を通過した空気は、その熱（温廃熱、冷廃熱）が蓄熱材３４２により取り去られた後に、ケーシング１１０に形成された排気口３６２から吹き出すように構成されてもよい。なお、蓄熱材３４２に蓄えられた熱は、パーティション１の利用後に処理されればよい。例えば、蓄熱材３４２が温廃熱を蓄熱している場合には、パーティション１の利用後に、蓄熱材３４２から温熱を取り去るため、蓄熱材３４２の冷却処理が行われればよい。
【００９１】
（２−２−１−５）膨張機構
膨張機構３８０は、熱源側熱交換器３４０の液側と、利用側熱交換器３３０の液側と、を接続する液冷媒管３２０ｄに配置される（図５参照）。膨張機構３８０は、熱源側熱交換器３４０から利用側熱交換器３３０へと向かう、又は、利用側熱交換器３３０から熱源側熱交換器３４０へと向かう冷媒を膨張させる機構である。本実施形態では、膨張機構３８０は開度調節可能な電子膨張弁であるが、これに限定されるものではなく、例えばキャピラリチューブ等であってもよい。
【００９２】
（２−２−１−６）利用側熱交換器
利用側熱交換器３３０は、空気と利用側熱交換器３３０内を流れる冷媒とを熱交換させる熱交換器である。利用側熱交換器３３０は、冷房運転時には蒸発器として機能して空気を冷却し、暖房運転時には冷媒の放熱器（凝縮器）として機能して空気を加熱する。つまり、利用側熱交換器３３０は、冷房運転時には空気を冷却する冷却部として機能する。また、利用側熱交換器３３０は、暖房運転時には空気を加熱する加熱部として機能する。
【００９３】
利用側熱交換器３３０は、限定するものではないが、伝熱管（図示省略）と多数のフィン（図示省略）とにより構成されるクロスフィン式のフィン・アンド・チューブ型熱交換器である。
【００９４】
（２−２−１−７）利用側ファン
利用側ファン３５０は、気流を生成する気流生成部６００の一部を構成する。本実施形態では、気流生成部６００は、第１構造体１００のケーシング１１０に配置される吹出口３５２から空気を吹き出させる。
【００９５】
利用側ファン３５０は、空調装置３００が収容されているケーシング１１０に形成されている吸込口３５１からケーシング１１０内に流入し、利用側熱交換器３３０を通過して、ケーシング１１０に形成されている吹出口３５２からケーシング１１０外へ流出する空気の流れを生成する装置である。
【００９６】
本実施形態では、利用側ファン３５０はプロペラファンである。ただし、利用側ファン３５０は、他のタイプのファンであってもよい。
【００９７】
また、本実施形態では、利用側ファン３５０は、利用側ファン３５０が生成する空気の流れ方向において、利用側熱交換器３３０よりも下流側に配置されるが、これに限定されるものではなく、利用側熱交換器３３０よりも上流側に配置されてもよい。
【００９８】
吸込口３５１は、場所を限定するものではないが、例えば、ケーシング１１０の側面に形成される。気流生成部６００は、好ましくは、吸込口３５１に設けられる、空気中の塵埃を除去するフィルタ３５１ａを含む。フィルタ３５１ａを設けることで、パーティション１から吹き出す空気の清浄度を向上させることができる。
【００９９】
吹出口３５２は、場所を限定するものではないが、例えば、ケーシング１１０の側面に形成される。吹出口３５２は、好ましくは、第１構造体１００に接続される仕切部２００の第１端部２１０の近傍に配置される。そして、気流生成部６００は、好ましくは、仕切部２００が、第２状態として前述の第１形態（第１面２００ａ側に凸の形態）と第２形態（第２面２００ｂ側に凸の形態）とのいずれを取るかに応じて、異なる気流を生成する。なお、異なる気流を生成するという記載には、吹出口３５２が複数存在する時に、異なる吹出口を利用して空気を吹き出す場合を含むものとする。
【０１００】
例えば、本実施形態では、図６のように、第１構造体１００に形成される吹出口３５２は、仕切部２００の第１面２００ａ側に配置される第１吹出口３５２ａと、仕切部２００の第２面２００ｂ側に配置される第２吹出口３５２ｂと、を含む。ここでは、第１吹出口３５２ａ及び第２吹出口３５２ｂは、仕切部２００の第１端部２１０の近傍に形成される。
第１吹出口３５２ａはケーシング１１０内に形成される第１通路３５２ａａと連通し、第２吹出口３５２ｂはケーシング１１０内に形成される第２通路３５２ｂａと連通する。第１通路３５２ａａは、利用側ファン３５０が生成する気流で熱源側熱交換器３４０を通過した空気を第１吹出口３５２ａへと導く空気の通路である。第２通路３５２ｂａは、利用側ファン３５０が生成する気流で熱源側熱交換器３４０を通過した空気を第２吹出口３５２ｂへと導く空気の通路である。第１通路３５２ａａと第２通路３５２ｂａとは、互いに仕切られた通路である。熱源側熱交換器３４０を通過した空気が、第１通路３５２ａａを流れるか第２通路３５２ｂａを流れるかは、気流生成部６００の有する流路切換ダンパ（図示せず）により切換可能に構成されている。そして、気流生成部６００は、流路切換ダンパを切り換えることで、仕切部２００が第１形態を取る時には第２吹出口３５２ｂから、第１形態の仕切部２００の第２面２００ｂに沿って（仕切部２００の第１端部２１０の近傍において第２面２００ｂに沿って）空気を吹き出す（図６の実線の矢印参照）。また、気流生成部６００は、流路切換ダンパを切り換えることで、仕切部２００が第２形態を取る時には第１吹出口３５２ａから、第２形態の仕切部２００の第１面２００ａに沿って（仕切部２００の第１端部２１０の近傍において第１面２００ａに沿って）空気を吹き出す（図６の二点鎖線の矢印参照）。なお、流路切換ダンパは、第１構造体１００に対する仕切部２００の姿勢変化に伴って駆動される図示しない機械的な機構によって切り換えられてもよい。また、第１構造体１００に対する仕切部２００の姿勢変化を図示しない角度センサ等で検知され、その検知結果に応じて、流路切換ダンパは図示しないモータにより駆動されて切り換えられてもよい。
【０１０１】
また、例えば、吹出口３５２は、図７のように、第１構造体１００’に接続される仕切部２００を跨ぐように形成される単一の吹出口であってもよい。吹出口３５２には、気流生成部６００が有する風向調節機構３５４が設けられている。風向調節機構３５４は、例えばフラップである。風向調節機構３５４は、水平方向の風向を調節する。風向調節機構３５４は、例えば、少なくとも２つのフラップ３５５，３５６を含む（図７参照）。フラップ３５５は、仕切部２００の第１面２００ａ側に配置される（図７参照）。フラップ３５６は、仕切部２００の第２面２００ｂ側に配置される（図７参照）。そして、気流生成部６００は、仕切部２００が第１形態を取る時には、フラップ３５５を吹出口３５２を塞ぐように回転させ、フラップ３５６を仕切部２００の第１端部２１０近傍の第２面２００ｂと概ね平行になるように回転させる（図示省略）。その結果、仕切部２００が第１形態を取る時には、気流生成部６００は、吹出口３５２から第１形態の仕切部２００の第２面２００ｂに沿って空気を吹き出す。一方、気流生成部６００は、仕切部２００が第２形態を取る時には、図７のように、フラップ３５６を吹出口３５２を塞ぐように回転させ、フラップ３５５を仕切部２００の第１端部２１０近傍の第１面２００ａと概ね平行になるように回転させる。その結果、仕切部２００が第２形態を取る時には、気流生成部６００は、吹出口３５２から第２形態の仕切部２００の第１面２００ａに沿って空気を吹き出す。なお、フラップ３５５，３５６の姿勢は、第１構造体１００’に対する仕切部２００の姿勢変化に伴って駆動される図示しない機械的な機構によって切り換えられてもよい。また、第１構造体１００’に対する仕切部２００の姿勢が図示しない角度センサ等で検知され、その検知結果に応じて、フラップ３５５，３５６の姿勢は図示しないモータにより駆動されて切り換えられてもよい。
【０１０２】
また、パーティション１は、吹出口３５２及び風向調節機構３５４に代えて、利用側熱交換器３３０を通過した空気を吹き出す、吹出方向を変更可能なノズル（風向調節機構を有するノズル、図示せず）を有してもよい。そして、気流生成部６００は、第１構造体１００’に対する仕切部２００の姿勢変化に伴って駆動される図示しない機械的な機構や、第１構造体１００’に対する仕切部２００の姿勢に応じて駆動されるモータによって、（仕切部２００が第１形態を取るか又は第２形態を取るかに応じて）ノズルの向きを変化させてもよい。
【０１０３】
なお、第１吹出口３５２ａ及び第２吹出口３５２ｂのいずれから空気を吹き出させるかの変更や、風向調節機構３５４やノズルの姿勢の変更は、自動で調節されなくてもよい。例えば、パーティション１の利用者が、パーティション１に設けられた図示しない操作部を操作して流路切換ダンパや風向調節機構３５４等を駆動させるためのモータを動作させたり、手動で流路切換ダンパや風向調節機構３５４等を動作させたりすることで、空気を吹き出さす吹出口３５２ａ，３５２ｂの変更や、吹出口３５２から空気を吹き出させる向きの変更等が行われてもよい。
【０１０４】
また、吹出口３５２にモータ駆動の風向調節機構３５４が設けられる場合や、利用側熱交換器３３０を通過した空気を吹き出す吹出方向をモータで変更可能なノズルが設けられる場合には、制御部３９０は以下のように風向調節機構３５４やノズルを制御してもよい。
【０１０５】
制御部３９０は、例えば、後述する人検知センサ２０によって検知される空間Ｓａに居る人の位置に基づいて、その人に向かって空気が吹き出すように風向調節機構３５４やノズルの姿勢を制御してもよい。または、逆に、制御部３９０は、後述する人検知センサ２０によって検知される空間Ｓａに居る人の位置に基づいて、その人に空気が当たらないように風向調節機構３５４やノズルの姿勢を制御してもよい。
【０１０６】
（２−２−１−８）制御部
制御部３９０は、空調装置３００の圧縮機３１０、流路切換機構３７０、膨張機構３８０、熱源側ファン３６０、及び利用側ファン３５０等と電気的に接続され、これらの機器の動作を制御する。また、上述のように、人検知センサ２０の検知結果に基づいて風向調節機構３６２ａ，３５４の動作を制御したり、図示しない角度センサ等により検出される第１構造体１００に対する仕切部２００の姿勢変化に基づいて風向調節機構３５４や流路切換ダンパ等の動作を制御したりする場合には、制御部３９０は、人検知センサ２０や角度センサ、風向調節機構３６２ａ，３５４や流路切換ダンパ等とも電気的に接続される。そして、制御部３９０は、風向調節機構３６２ａ，３５４や流路切換ダンパ等の動作を制御する。
【０１０７】
制御部３９０は、例えば制御演算装置、記憶装置、入力装置、出力装置等を有するＭＣＵにより実現される。制御演算装置には、ＣＰＵ等のプロセッサを使用できる。制御演算装置は、記憶装置に記憶されているプログラムを読み出し、このプログラムに従って所定の演算処理を行う。さらに、制御演算装置は、プログラムに従って、演算結果を記憶装置に書き込んだり、記憶装置に記憶されている情報を読み出したりすることができる。なお、制御部３９０は、ソフトウェアにより実現されてもよいし、ハードウェアにより実現されても、ハードウェア及びソフトウェアにより実現されてもよい。
【０１０８】
空調装置３００では、パーティション１に設けられた図示しない操作部に対する操作や、パーティション１に設けられた各種センサ（温度センサ等）による計測値や、冷房や暖房の設定温度等に基づいて、制御部３９０が、圧縮機３１０、流路切換機構３７０、膨張機構３８０、熱源側ファン３６０、及び利用側ファン３５０等の動作を制御することで、空調装置３００に冷房運転、暖房運転及び送風運転を実行させる。なお、上述した風向調節機構３６２ａ，３５４及び流路切換ダンパ等の制御部３９０による動作の制御については、ここでは説明を省略する。
【０１０９】
冷房運転中には、制御部３９０は、圧縮機３１０を運転すると共に、冷媒回路３２０を、圧縮機３１０、熱源側熱交換器３４０、膨張機構３８０、利用側熱交換器３３０、圧縮機３１０の順に冷媒が循環するように、流路切換機構３７０を制御する。また、制御部３９０は、図示しない温度センサの計測値等に応じて、圧縮機３１０の回転数や、膨張機構３８０の開度を適宜制御する。さらに、制御部３９０は、熱源側ファン３６０及び利用側ファン３５０を運転する。
【０１１０】
暖房運転中には、制御部３９０は、圧縮機３１０を運転すると共に、冷媒回路３２０を、圧縮機３１０、利用側熱交換器３３０、膨張機構３８０、熱源側熱交換器３４０、圧縮機３１０の順に冷媒が循環するように、流路切換機構３７０を制御する。また、制御部３９０は、図示しない温度センサの計測値等に応じて、圧縮機３１０の回転数や、膨張機構３８０の開度を適宜制御する。さらに、制御部３９０は、熱源側ファン３６０及び利用側ファン３５０を運転する。
【０１１１】
送風運転中には、制御部３９０は、圧縮機３１０は停止したままで（冷媒回路３２０に冷媒を循環させずに）、利用側ファン３５０だけを動作させる。
【０１１２】
なお、空調装置３００の動作原理は一般に知られているため、ここでは空調装置３００の動作の詳細についての説明は省略する。
【０１１３】
（２−２−２）蓄電池
パーティション１は、蓄電池１０を備えることが好ましい。本実施形態では、蓄電池１０は、第１構造体１００のケーシング１１０内に設置される。
【０１１４】
蓄電池１０は、空気環境調整部の一例としての空調装置３００に対して電力を供給する。また、蓄電池１０は、制御装置４００、人検知センサ２０、香り放出装置３０、及び照明装置４０の一部又は全部に対しても、電力を供給してもよい。ただし、制御装置４００、人検知センサ２０、香り放出装置３０、及び照明装置４０には、蓄電池１０とは別の電池から電力が供給されてもよい。パーティション１が蓄電池１０を有することで、パーティション１の設置したい場所の近くに電源コンセントが存在しないような場合であっても、パーティション１の空調装置３００等の各種機器を利用することができる。
【０１１５】
蓄電池１０は、非使用時に第１構造体１００を充電装置１２にセットすることで充電されることが好ましい（図８参照）。例えば、仕切部２００を第１状態としたパーティション１が充電装置１２にセットされることで、蓄電池１０は、非接触充電される。ただし、充電方法は非接触充電に限定されるものではなく、図示されない電源ケーブルを電源コンセントに差し込むことで蓄電池１０に対する充電が行われてもよい。
【０１１６】
なお、パーティション１は、蓄電池１０を備えていなくてもよく、電源ケーブルを電源コンセントに接続して利用する装置であってもよい。
【０１１７】
（２−２−３）人検知センサ
パーティション１は、人検知センサ２０を備えることが好ましい。人検知センサ２０は、パーティション１の設置される空間（空間Ｓａや隣接空間Ｓｎを含む空間）の人の有無や人数等を検知するセンサである。また、人検知センサ２０は、後述する制御装置４００が空間Ｓａに居る人の覚醒度を把握する際に用いられるセンサである。
【０１１８】
人検知センサ２０には、人の有無等を検知する目的で、例えば、赤外線センサ、ドップラセンサ及びカメラの少なくとも１つが利用される。ただし、人検知センサ２０のタイプは、例示したタイプに限定されるものではなく、適宜選択されればよい。
【０１１９】
なお、後述する制御装置４００は、赤外線センサで検知される空間Ｓａに居る人の体温や、ドップラセンサで検知される空間Ｓａに居る人の心拍数や、カメラで撮影される画像を利用することで、空間Ｓａに居る人の覚醒度を把握することができる。
【０１２０】
なお、他の態様では、パーティション１は、人検知センサ２０を自ら備える代わりに、人検知センサ２０と同様の外部のセンサから、検知結果だけをパーティション１（制御装置４００）で受けつけるように構成されてもよい。
【０１２１】
（２−２−４）香り放出装置
パーティション１は、香り放出装置３０を備えることが好ましい。香り放出装置３０は、芳香物質を放出する放出部の一例である。香り放出装置３０は、図示しない芳香物質貯留部に貯留された芳香物質を、例えば、利用側ファン３５０が生成する空気の流れに対して放出する。このように構成されることで、香り放出装置３０は、香り放出装置３０から離れた位置まで香りを届けることができる。ただし、これに限定されるものではなく、香り放出装置３０は、利用側ファン３５０が生成する空気の流れとは関係のない位置に香りを放出してもよい。
【０１２２】
なお、香り放出装置３０は、複数種類の香りを放出可能であることが好ましい。また、香り放出装置３０は、芳香物質の放出量を調節可能であることが好ましい。香り放出装置３０は、パーティション１に設けられた図示しない操作部を操作することで、あるいは後述する制御装置４００の指令に応じて動作し、操作や指令に応じた種類及び量の香料を放出する。
【０１２３】
（２−２−５）照明装置
パーティション１は、照明装置４０を備えることが好ましい。照明装置４０は、調色機能及び調光機能を有することが好ましい。
【０１２４】
照明装置４０は、パーティション１に設けられた図示しない操作部を操作することで、あるいは後述する制御装置４００の指令に応じて動作し、操作や指令に応じた色／明るさの光を発する。
【０１２５】
（２−２−６）制御装置
制御装置４００は、空調装置３００や、香り放出装置３０や、照明装置４０等の機器を制御する装置である。制御装置４００は、空調装置３００の制御部３９０と、香り放出装置３０及び照明装置４０と電気的に接続されている（図４Ａ〜図４Ｃ中の破線参照）。また、制御装置４００は、人検知センサ２０とも電気的に接続されている（図４Ａ〜図４Ｃ中の破線参照）。また、制御装置４００は、携帯電話（スマートフォン）、タブレット、ウェアブルデバイス、ノートパソコン等の外部機器５００と、インターネット等の通信回線ＮＷを介して接続可能に構成されている。ここでは、外部機器５００は、パーティション１を使用する利用者、言い換えれば空間Ｓａに居る人に関する情報を記憶する機器である。例えば、外部機器５００は、パーティション１を使用する利用者が携帯している機器である。また、例えば、外部機器５００は、パーティション１を使用する利用者に関する情報が記憶されているサーバ等であってもよい。
【０１２６】
制御装置４００は、コンピュータにより実現される。制御装置４００は、制御演算装置、記憶装置、入力装置、出力装置等を備える。制御演算装置には、ＣＰＵ等のプロセッサを使用できる。制御演算装置は、記憶装置に記憶されているプログラムを読み出し、このプログラムに従って所定の演算処理を行う。さらに、制御演算装置は、プログラムに従って、演算結果を記憶装置に書き込んだり、記憶装置に記憶されている情報を読み出したりすることができる。なお、制御装置４００の機能の一部は、制御装置４００と通信可能に接続されたコンピュータ等により実行されてもよい。
【０１２７】
制御装置４００は、機能部として、機器制御部４１０、覚醒度把握部４１２、通信部４３０を有する。機器制御部４１０及び覚醒度把握部４１２については後述する。通信部４３０は、制御装置４００と外部機器５００との通信のための機能部である。パーティション１の利用者等（空間Ｓａに居る人、空間Ｓａを使う予定の人、あるいは空間Ｓａに居る人や空間Ｓａを使う予定の人のためにパーティション１を準備する人等）が外部機器５００に対して所定の操作を行うと、人に関する情報（以後、人情報と呼ぶ）を記憶している外部機器５００から人情報が送信され、制御装置４００は、通信部４３０を介して人情報を受信する。なお、制御装置４００の記憶装置は、人情報を記憶する人情報記憶領域４２０を有する。人情報記憶領域４２０には、外部機器５００から送信されてくる人情報が記憶される。
【０１２８】
なお、本実施形態では、人情報は外部機器５００から送信されてくるが、これに限定されるものではない。例えば、パーティション１に設けられた図示しない入力部から人情報が入力され、これが人情報記憶領域４２０に記憶されてもよい。
【０１２９】
機器制御部４１０は、空気環境調整部の一例としての空調装置３００、パーティション１に設けられている芳香物質を放出する香り放出装置３０、及びパーティション１に設けられている照明装置４０を制御する装置である。空調装置３００、香り放出装置３０、及び照明装置４０は、パーティション１に設けられた操作部（図示せず）から利用者等が操作可能である。これに加え、機器制御部４１０は、以下のように空調装置３００、香り放出装置３０及び照明装置４０を制御する。なお、以下で説明する人の覚醒度に応じた機器制御や個人情報に応じた機器制御は、その実行／非実行を選択可能であってもよい。
＜人の覚醒度に応じた機器制御＞
制御装置４００は、上述のように覚醒度把握部４１２を有する。覚醒度把握部４１２は、空間Ｓａに居る人の人検知センサ２０による検知結果（例えば、心拍数、体温、人の画像（より具体的には、画像に写った人の瞬きや表情））に基づいて、空間Ｓａに居る人の覚醒度（人の目覚めのレベル）を把握する。覚醒度は、その度合いが小さいほど目覚めのレベルが低く（眠気が強く）、その度合いが大きいほど目覚めのレベルが高い（眠気が弱い）。なお、覚醒度把握部４１２は、制御装置４００の記憶装置に記憶されている、心拍数や、体温や、人の画像から認識できる瞬きの回数等の入力に対して覚醒度を出力するアルゴリズム（プログラム）を用いて、人検知センサ２０による検知結果に基づいて人の覚醒度を把握する。また、覚醒度把握部４１２は、心拍数、体温、人の画像等の入力に対して覚醒度を出力するように機械学習による学習済みモデルを用いて、人検知センサ２０による検知結果に基づいて人の覚醒度を把握してもよい。
【０１３０】
機器制御部４１０は、覚醒度把握部４１２が人の覚醒度が所定の度合いよりも低下していると判断すると、空調装置３００、香り放出装置３０、及び照明装置４０の少なくとも１つを制御する。
【０１３１】
例えば、機器制御部４１０は、覚醒度把握部４１２が人の覚醒度が所定の度合いよりも低下していると判断すると、空調装置３００の設定温度を下げるように制御する。言い換えれば、機器制御部４１０は、覚醒度把握部４１２が人の覚醒度が所定の度合いよりも低下していると判断すると、空調装置３００の冷房を強める、又は、空調装置３００の暖房を弱めるように制御する。また、機器制御部４１０は、覚醒度把握部４１２が人の覚醒度が所定の度合いよりも低下していると判断すると、停止している、又は、暖房運転をしている空調装置３００が冷房運転を開始するように、空調装置３００を制御してもよい。また、空調装置３００の気流生成部６００が自動で風向調節可能なものである場合には、機器制御部４１０は、人検知センサ２０の検知結果に基づいて、覚醒度の低下している人に向かって冷風を吹き出すように空調装置３００を制御してもよい。
【０１３２】
また、例えば、機器制御部４１０は、覚醒度把握部４１２が人の覚醒度が所定の度合いよりも低下していると判断すると、空調装置３００の制御に代えて、又は、空調装置３００の制御に加えて、人の覚醒を促す種類の芳香物質が放出されるように、香り放出装置３０を制御してもよい。また、機器制御部４１０は、覚醒度把握部４１２が人の覚醒度が所定の度合いよりも低下していると判断すると、空調装置３００の制御に代えて、又は、空調装置３００の制御に加えて、放出する芳香物質の放出量を増加させるように香り放出装置３０を制御してもよい。
【０１３３】
また、例えば、機器制御部４１０は、覚醒度把握部４１２が人の覚醒度が所定の度合いよりも低下していると判断すると、空調装置３００及び／又は香り放出装置３０の制御に代えて、又は、空調装置３００及び／又は香り放出装置３０の制御に加えて、人の覚醒を促すために、消灯している照明装置４０を点灯させたり、色や明るさが変更されるように照明装置４０を制御してもよい。
＜個人情報に応じた機器制御＞
機器制御部４１０は、好ましくは、制御装置４００の記憶装置の人情報記憶領域４２０に記憶されている人情報に基づいて、空調装置３００を制御する。また、機器制御部４１０は、制御装置４００の記憶装置の人情報記憶領域４２０に記憶されている人情報に基づいて、空調装置３００に代えて、又は、空調装置３００に加えて、香り放出装置３０及び照明装置４０の少なくとも一方を制御してもよい。
【０１３４】
なお、人情報記憶領域４２０に記憶される人情報は、空間Ｓａに居る人（言い換えればパーティション１のユーザ）の、スケジュールの情報、体質の情報、及び、空調、香り及び照明に関する好みの情報の少なくとも１つを含む。なお、ここで、空間Ｓａに居る人には、空間Ｓａを実際に居る人だけではなく、空間Ｓａを使う予定のある人を含む。スケジュールの情報は、例えば、空間Ｓａを何人で何時から使用するか等の情報である。体質の情報は、例えば、冷え性である、乾燥肌である等の情報である、また、空調、香り及び照明に関する好みの情報は、例えば、冷房及び暖房の好みの設定温度、好みの香り、好みの照明色や明るさ等の情報である。
【０１３５】
機器制御部４１０は、例えば人情報記憶領域４２０に記憶される人情報に基づいて、例えば以下のような空調装置３００、香り放出装置３０及び照明装置４０の制御を行う。例えば、機器制御部４１０は、スケジュールの情報に基づいて、例えば空間Ｓａの使用予定時間より所定時間だけ早く（例えば、１０分前から）、空調装置３００や香り放出装置３０の運転を開始する。また、機器制御部４１０は、スケジュールの情報に基づいて、例えば空間Ｓａを使用する人数に合わせて、空調装置３００の冷房や暖房の強さを調整してもよい。また、例えば、機器制御部４１０は、スケジュールの情報に加え、上記の人の覚醒度に基づいて、所定時刻になると（例えば、会議の開始時間になると）、人の覚醒度を上昇させるように、空調装置３００や、香り放出装置３０や照明装置４０の制御を行ってもよい。例えば、機器制御部４１０は、例えば空間Ｓａを使用する人数が多い場合には、空調装置３００の冷房や暖房の強さを調整してもよい。また、例えば、機器制御部４１０は、体質の情報や空調、香り及び照明に関する好みの情報に基づいて、それに応じた条件で、空調装置３００、香り放出装置３０及び照明装置４０の制御を行う。
【０１３６】
なお、他の形態では、外部機器５００からは、人情報に代えて、人情報に基づいて生成した指令が制御装置４００に対して送信されてもよい。人情報に基づいて生成した指令は、スケジュールの情報そのものではなく、これに基づいて外部機器５００が生成した、空調装置３００の運転を開始する時間を指定する指令や、空調装置３００の冷房の強さ等の指令である。また、例えば、人情報に基づいて生成した指令は、体質の情報そのものではなく、これに基づいて外部機器５００が生成した、空調装置３００の運転内容を指示する指令である。
【０１３７】
（３）特徴
（３−１）
上記実施形態のパーティション１は、第１構造体１００と、仕切部２００と、空調装置３００と、を備える。仕切部２００は、可変形仕切部の一例である。空調装置３００は、空気環境調整部の一例である。仕切部２００は、第１構造体１００に接続される。仕切部２００は、第１構造体１００と接続される側の第１端部２１０と、第１端部２１０とは遠位側の第２端部２２０とを有する。仕切部２００は、空間Ｓａを隣接空間Ｓｎに対して仕切るように変形する。空調装置３００は、第１構造体１００及び仕切部２００の少なくとも一方に配置される。本実施形態では、空調装置３００は、第１構造体１００に配置される。空調装置３００は、利用側熱交換器３３０及び気流生成部６００を有する。利用側熱交換器３３０は、空気を冷却する冷却部及び空気を加熱する加熱部の一例である。気流生成部６００には、利用側ファン３５０を含む。
【０１３８】
ここでは、パーティション１により周囲と仕切られた利用者に快適な空間を容易に作り出すことができる。
【０１３９】
（３−２）
上記実施形態のパーティション１では、仕切部２００は、第１状態と、第２状態と、に変形可能である。第１状態の仕切部２００は、第１構造体１００の外周に巻き回される。第２状態は、仕切部２００を水平方向に全方位から見たときの面積の最大値が、第１状態に比べて大きな状態である。
【０１４０】
ここでは、使用時には仕切部２００が第２状態を取ることでパーティション１により比較的広い空間Ｓａを隣接空間Ｓｎに対して仕切ることができる。一方で、不使用時には仕切部２００が第１状態を取ることでパーティション１を小さなスペースに収納等することができる。また、仕切部２００をコンパクトな第１状態とすることで、パーティション１の移動も容易である。
【０１４１】
（３−３）
上記実施形態のパーティション１では、仕切部２００は、形態の異なる複数の第２状態を取ることが可能である。
【０１４２】
ここでは、ニーズに応じて空間を複数の異なる形状に仕切ることができ利便性が高い。
【０１４３】
（３−４）
上記実施形態のパーティション１では、仕切部２００は、第１面２００ａと第１面２００ａとは反対側に配置される第２面２００ｂとを有する。第１面２００ａ及び第２面２００ｂの一方は空間Ｓａに面し、第１面２００ａ及び第２面２００ｂの他方は隣接空間Ｓｎに面する。仕切部２００は、第１面２００ａ側に凸の第１形態と、第２面２００ｂ側に凸の第２形態と、を第２状態として取ることが可能である。
【０１４４】
ここでは、ニーズに応じて空間を異なる形状に仕切ることができ利便性が高い。
【０１４５】
（３−５）
上記実施形態のパーティション１では、空調装置３００の気流生成部６００は、仕切部２００が第２状態として第１形態と第２形態とのいずれを取るかに応じて、異なる気流を生成する。
【０１４６】
例えば、気流生成部６００は、仕切部２００が第１形態を取る時には、第１形態の仕切部２００の第２面２００ｂに沿って空気を吹き出すことが好ましい（図６の実線参照）。また、気流生成部６００は、仕切部２００が第２形態を取る時には、第２形態の仕切部２００の第１面２００ａに沿って空気を吹き出すことが好ましい（図６の二点鎖線参照）。
【０１４７】
ここでは、仕切部２００が突出する方向に応じて異なる気流が生成される。言い換えれば、パーティション１の仕切部２００の形状を変更することで、風向の調節をすることができる。そのため、パーティションにより仕切られる空間の空気環境を精度よく調整することが可能である。
【０１４８】
（３−６）
上記実施形態のパーティション１では、空調装置３００の気流生成部６００は、第１構造体１００に配置される吹出口３５２から空気を吹き出させる。吹出口３５２は、第２状態の仕切部２００の表面の少なくとも一部に沿って空気を吹き出す。
【０１４９】
ここでは、仕切部２００が気流のガイドとしても利用されるため、パーティション１により仕切られる空間の空気環境を精度よく調整することが可能である。
【０１５０】
なお、吹出口３５２は、好ましくは、仕切部２００の第１端部２１０の近傍に配置される。
【０１５１】
（３−７）
上記実施形態のパーティション１では、空調装置３００は、第１構造体１００内に設けられるヒートポンプで空気を冷却する冷却部、及び、第１構造体１００内に設けられるヒートポンプで空気を加熱する加熱部、として機能する利用側熱交換器３３０を有する。
【０１５２】
ヒートポンプで空気を冷却する際及びヒートポンプで空気を加熱する際に生じる廃熱は、例えば、廃熱が空間Ｓａの温度に与える影響の小さな第１空間Ｓ１（例えば、床下空間や、天井裏空間や、換気ダクト）に排熱される。言い換えれば、熱源側熱交換器３４０と熱交換した空気は、第１空間Ｓ１に排気される。
【０１５３】
また、ヒートポンプで空気を冷却する際及びヒートポンプで空気を加熱する際に生じる廃熱は、パーティション１が有する人検知センサ２０の検知結果に基づき人がいないと判断される空間（第２空間Ｓ２）に排熱されてもよい。言い換えれば、熱源側熱交換器３４０と熱交換した空気は、パーティション１が有する人検知センサ２０の検知結果に基づき人がいないと判断される空間（第２空間Ｓ２）に排気されてもよい。
【０１５４】
また、ヒートポンプで空気を冷却する際及びヒートポンプで空気を加熱する際に生じる廃熱は、第１構造体１００内に設けられた蓄熱材３４２に蓄熱されてもよい。
【０１５５】
ここでは、人に対する廃熱の影響を抑制しつつ、比較的自由な位置にパーティション１を配置して、ヒートポンプを利用して空気を冷却／加熱し、温度調整された快適な空間を容易に作り出すことができる。
【０１５６】
（３−８）
上記実施形態のパーティション１では、少なくとも空調装置３００に対して電力を供給する蓄電池１０を備える。パーティション１は、可搬式である。
【０１５７】
ここでは、電源の確保が難しい場所であっても、パーティション１により空気環境の調整された快適な空間を作り出すことができ、空間利用の柔軟性が高い。
【０１５８】
（３−９）
上記実施形態のパーティション１では、第１構造体１００は、上下方向を軸方向として延びる柱状形状を有する。第１構造体１００は、自立支援用の脚部１２０を有する。
【０１５９】
ここでは、脚部１２０により第１構造体１００の転倒を抑制でき、安全性が高い。
【０１６０】
（３−１０）
上記実施形態のパーティション１は、覚醒度把握部４１２と、機器制御部４１０と、を備える。覚醒度把握部４１２は、空間Ｓａにいる人の覚醒度を把握する。機器制御部４１０は、覚醒度把握部４１２の把握した人の覚醒度に応じて、空調装置３００、パーティション１に設けられている芳香物質を放出する香り放出装置３０、及びパーティション１に設けられている照明装置４０、の少なくとも１つを制御する。
【０１６１】
ここでは、人の覚醒度に応じて、パーティション１により形成される空間Ｓａの空気環境、香り、及び照明の少なくとも１つを変更することができるため、空間Ｓａにいる人の覚醒度を向上させ、作業性等を向上させることができる。
【０１６２】
（３−１１）
上記実施形態のパーティション１は、通信部４３０と、機器制御部４１０と、を備える。通信部４３０は、空間Ｓａにいる人に関する情報（人情報）を記憶する外部機器５００と通信を行う。機器制御部４１０は、外部機器５００から通信部４３０を介して受信した人情報、又は、通信部４３０を介して受信した外部機器５００が人情報に基づいて生成した指令に基づいて、空調装置３００を制御する。
【０１６３】
ここでは、空間Ｓａにいる人に関する情報に基づいて、空間Ｓａの空気環境を利用者にとって好ましい空気環境に調整することが容易である。
【０１６４】
なお、仕切部２００は変形可能であることが好ましいが、制御装置４００による空調装置３００や、香り放出装置３０や、照明装置４０の制御は、仕切部の変形しないパーティションにも適用可能である。
【０１６５】
（３−１２）
上記実施形態のパーティション１では、空調装置３００の気流生成部６００は、空気中の塵埃を除去するフィルタ３５１ａを含む。フィルタ３５１ａは、ケーシング１１０に形成された吸込口３５１に設けられる。
【０１６６】
ここでは、パーティション１から吹き出す空気の清浄度を向上させることができる。
【０１６７】
（４）変形例
以下に、上記実施形態の変形例を示す。変形例は、互いに矛盾しない範囲で適宜組み合わされてもよい。
【０１６８】
（４−１）変形例１Ａ
上記実施形態の仕切部２００は、第１状態（非使用状態）において、第１構造体１００の外周に巻き回されるが、仕切部２００は、第１状態において、第１構造体１００の外周に巻き回されるように構成されなくてもよい。
【０１６９】
例えば、図１１のパーティション１Ａのように、仕切部２００は、第１状態において、第１構造体１００Ａのケーシング１１０Ａの内部に収容されてもよい。仕切部２００は、ケーシング１１０Ａの外壁に設けられた上下方向に延びる開口（図示せず）から引き出し可能に構成されている。なお、ケーシング１１０Ａの内部への仕切部２００の収容のため、第１構造体１００Ａは、スプリングやモータを利用した仕切部２００の巻取り機構（図示せず）を有することが好ましい。
【０１７０】
例えば、パーティション１Ａでは、仕切部２００の第１端部２１０は、ケーシング１１０Ａの外壁ではなく、ケーシング１１０Ａの内部に配置されるコア１１０Ａａに接続されている（図１１参照）。第２状態にある仕切部２００を第１状態にする時には、コア１１０Ａａが巻取り機構により回転させられることで、第２状態にあった仕切部２００がケーシング１１０Ａの内部のコア１１０Ａａに巻き付き、ケーシング１１０Ａの内部に収容される。
【０１７１】
なお、パーティション１Ａでは、仕切部２００が第１構造体１００Ａの内部に収容されるため、第１状態の仕切部２００を水平方向に全方位から見たときの面積の最大値を規定できない。そこで、仕切部２００が第１構造体１００Ａの内部に収容される場合には、第１構造体１００Ａを水平方向に全方位から見たときの最大面積を、第１状態の仕切部２００を水平方向に全方位から見たときの面積の最大値とみなす。そして、パーティション１Ａにおいても、第２状態の仕切部２００を水平方向に全方位から見たときの面積の最大値は、第１状態の仕切部２００を水平方向に全方位から見たときの面積の最大値よりも大きい。
【０１７２】
（４−２）変形例１Ｂ
上記実施形態のパーティション１の仕切部２００は、ケーシング１１０に巻きつけることが可能なロール状であるが、仕切部２００の形状はロール状に限定されない。
【０１７３】
例えば、図１２及び図１３のように、パーティション１Ｂの仕切部２００Ｂの形状は、複数のプレート２９０が蝶番（図示せず）で接続された蛇腹状（屏風状）であってもよい。なお、図示したプレート２９０の枚数は、例示に過ぎず、図示した枚数よりも少なくても、多くてもよい。なお、仕切部２００Ｂは、限定されるものではないが一体に構成された部材である。
【０１７４】
なお、パーティション１Ｂでも、仕切部２００Ｂは、第１構造体１００に接続される。仕切部２００Ｂは、第１構造体１００と接続される側の第１端部２１０Ｂと、第１端部２１０Ｂとは遠位側の第２端部２２０Ｂとを有する。仕切部２００Ｂは、空間Ｓａを隣接空間Ｓｎに対して仕切るように変形する。
【０１７５】
そして、仕切部２００Ｂは、第１状態（非使用状態、図１２参照）と、第２状態（使用状態、図１３参照）と、に変形可能である。第１状態では、仕切部２００Ｂは、第１構造体１００の近傍で折り畳まれる。第２状態は、仕切部２００Ｂを水平方向に全方位から見たときの面積の最大値が、第１状態に比べて大きな状態である。
【０１７６】
また、仕切部２００Ｂは、形態の異なる複数の第２状態を取ることが可能である。例えば、仕切部２００Ｂは、最も第１端部２１０Ｂ側に位置するプレート２９０とこれに隣接するプレート２９０とが第１面２００Ｂａ側に凸の第１形態と、最も第１端部２１０Ｂ側に位置するプレート２９０とこれに隣接するプレート２９０とが第２面２００Ｂｂ側に凸の第２形態と、を第２状態として取ることが可能である、なお、パーティション１Ｂにおいても、空調装置３００の気流生成部６００は、仕切部２００Ｂが第２状態として第１形態と第２形態とのいずれを取るかに応じて異なる気流を生成することが好ましい。例えば、気流生成部６００は、仕切部２００Ｂが第１形態を取る時には、吹出口３５２から、仕切部２００Ｂの最も第１端部２１０Ｂ側に位置するプレート２９０の第２面２００Ｂｂに沿って空気を吹き出す。また、例えば、気流生成部６００は、仕切部２００Ｂが第２形態を取る時には、吹出口３５２から、仕切部２００Ｂの最も第１端部２１０Ｂ側に位置するプレート２９０の第１面２００Ｂａに沿って空気を吹き出す。
【０１７７】
（４−３）変形例１Ｃ
上記実施形態では、空調装置３００の気流生成部６００は、第１構造体１００に形成された吹出口３５２や、第１構造体１００に設けられたノズルから空気を吹き出すが、これに限定されるものではない。
【０１７８】
例えば、図１４Ａのように、パーティション１Ｃの仕切部２００Ｃには、第１端部２１０Ｃから第２端部２２０Ｃに向かって延びる、空気の流路２４０Ｃが形成されてもよい。言い換えれば、パーティション１Ｃの空調環境調整部の一例としての空調装置３００は、仕切部２００Ｃの内部に第１流体を流す。ここでは、第１流体は空気である。なお、特に、このように仕切部２００Ｃの内部に空気の流路２４０Ｃを形成する場合には、構造のシンプル化等の観点から、仕切部２００Ｃは一体に構成された部材であることが好ましい。
【０１７９】
空気の流路２４０Ｃは、例えば、第１端部２１０Ｃから第２端部２２０Ｃに向かう方向に延びる、第１端部２１０Ｃから第２端部２２０Ｃに向かう方向に沿って複数の吹出口３５７が形成されたチューブを用いて形成される。チューブは、第１実施形態の仕切部２００であれば縦フレーム２５０を、変形例１Ｃの仕切部２００Ｂであればプレート２９０を、仕切部の第１端側から第２端側へと貫くように配置される。空気の流路２４０Ｃは、言い換えれば流路２４０Ｃを形成するチューブは、上下方向に複数配置されてもよい。材質を限定するものではないが、仕切部２００Ｃが第１実施形態で例示したようなロール状である場合には、チューブは柔軟な材質で製造されることが好ましい。一方で、仕切部２００Ｃが変形例１Ｂで例示したような蛇腹状である場合には、チューブは比較的硬質な材質で製造されてもよい。空気の流路２４０Ｃは、吸込口３５１から取り込まれ、空調装置３００の利用側熱交換器３３０を通過した空気が流れるケーシング１１０Ｃ内の空気流路（図示せず）と連通している。そして、ケーシング１１０Ｃ内の空気流路から空気の流路２４０Ｃへと供給された空気は、吹出口３５７から吹き出す。つまり、パーティション１Ｃでは、気流生成部６００は、仕切部２００Ｃに配置される吹出口３５７から空気を吹き出させる。ここでは、仕切部２００Ｃから空気が吹き出すため、第１構造体１００Ｃに吹出口を設ける場合に比べ、第１構造体１００Ｃから離れた位置に届くように空気を吹き出すことが容易である。
【０１８０】
なお、気流生成部６００は、好ましくは、吹出口３５７に配置される、水平方向の風向を調節する水平方向風向調節機構３５８及び上下方向の風向を調節する上下方向風向調節機構３５９の少なくとも一方を有する（図１４Ｂ参照）。水平方向風向調節機構３５８及び上下方向風向調節機構３５９は、例えば吹出口３５７よりも下流側に配置されるが、吹出口３５７よりも上流側に配置されてもよい。水平方向風向調節機構３５８は、例えば、上下方向に延びる軸周りに回転するフラップ３５８ａを有する。また、上下方向風向調節機構３５９は、例えば、水平方向に延びる軸周りに回転するフラップ３５９ａを有する。風向調節機構３５８，３５９は、手動で操作する機構であってもよいし、パーティション１Ｃに設けられた操作部に対する人の操作や人検知センサ２０による検知結果に応じて自動で動作する機構であってもよい。
【０１８１】
なお、パーティション１Ｃでは、仕切部２００Ｃが、第１面２００Ｃａ側に凸の第１形態と、第２面２００Ｃｂ側に凸の第２形態と、を第２状態として取ることが可能であり、パーティション１Ｃは、仕切部２００Ｃが第２状態として第１形態と第２形態とのいずれを取るかに応じて、異なる気流を生成することが好ましい。
【０１８２】
例えば、パーティション１Ｃの仕切部２００Ｃには、第２面２００Ｃｂ側に設けられる吹出口３５７と連通する空気の流路２４０Ｃと、第１面２００Ｃａ側に設けられる吹出口（図示せず）と連通する空気の流路（図示せず）と、が設けられる。パーティション１Ｃでは、気流生成部６００が、例えば第１実施形態で説明したような流路切換ダンパを利用して、仕切部２００Ｃが第２状態として第１形態と第２形態とのいずれを取るかに応じて、空調装置３００の利用側熱交換器３３０を通過した空気を仕切部２００Ｃの異なる流路に供給する。例えば、気流生成部６００は、仕切部２００Ｃが第１形態をとる場合には、流路２４０Ｃに利用側熱交換器３３０を通過した空気を供給して、吹出口３５７から第２面２００Ｃｂ側に空気を吹き出させる（図１４Ａ参照）。また、仕切部２００Ｃが第２形態をとる場合には、第１面２００Ｃａ側に設けられる吹出口（図示せず）に連通する流路に利用側熱交換器３３０を通過した空気を供給して、第１面２００Ｃａ側に設けられた吹出口から第１面２００Ｃａ側に空気を吹き出させる。
【０１８３】
なお、ここでは、パーティション１Ｃの仕切部２００Ｃに、吹出口３５７を設け、吹出口３５７に風向調節機構３５８，３５９を配置する形態を例に説明したが、これに限定されるものではない。例えば、パーティション１Ｃの仕切部２００Ｃは、吹出し方向を変更可能なノズル（風向調節機構を有するノズル）を有してもよい。風向調節機構３５８，３５９に代えて吹出し方向を変更可能なノズルを用いる態様については上記実施形態の中で既に説明したので、ここでは説明を省略する。
【０１８４】
（４−４）変形例１Ｄ
上記実施形態では、パーティション１は、第１構造体１００を上下方向に立てた状態で利用されるが、これに限定されるものではない。例えば、パーティション１は、図１５のように、第１構造体１００を水平方向に寝かせた状態で利用されてもよい。なお、第１構造体１００を水平方向に寝かせた状態で利用する場合には、仕切部２００の第２端部２２０側を支柱２７０で支えるように構成されることが好ましい。
【０１８５】
また、パーティション１は、第１構造体１００を上下方向に向けた状態でも、第１構造体１００を水平方向に寝かせた状態でも使用可能に構成されてもよい。つまり、パーティション１の第１構造体１００は、第１方向を軸方向として延びる柱状形状を有する。第１方向が上下方向になるように第１構造体１００が設置される場合には、第２状態において、仕切部２００の第１端部２１０と第２端部２２０とは、同一高さであって水平方向に離れた位置に配置される（図１及び図３参照）。また、第１方向が水平方向になるように第１構造体１００が設置される場合には、第２状態において、仕切部２００の第１端部２１０と第２端部２２０とは、異なる高さに配置される（図１５参照）。
【０１８６】
ここでは、第１構造体１００の設置状態を変更できるので、パーティション１により仕切られる空間の形状の自由度が高い。
【０１８７】
（４−５）変形例１Ｅ
上記実施形態では、パーティション１は、ヒートポンプ式の空調装置３００を有するが、これに限定されるものではない。パーティション１は、空気環境調整部として、空調装置３００に代えて、（加熱部や冷却部を有さない）気流生成部としてのファンを有していてもよい。ファンは、ケーシング１１０の外部、又は、仕切部２００に設けられてもよい。
【０１８８】
（４−６）変形例１Ｆ
パーティション１の仕切部２００の収納の態様は、例示したロール状や、蛇腹式（折りたたみ式）に限定されるものではなく、テレスコープ式等の形態であってもよい。
【０１８９】
＜第２実施形態＞
第２実施形態のパーティション１Ｄについて説明する。なお、第２実施形態のパーティション１Ｄは、第１実施形態のパーティションと同様での点も多いので、相違点以外の説明は、その多くを省略する。なお、パーティション１Ｄには、第１実施形態及びその変形例で説明したパーティションの特徴の一部又は全部を、矛盾のない範囲で適宜適用可能である。
【０１９０】
第１実施形態では、パーティション１は空調装置３００を有している。これに対し、図１６のパーティション１Ｄは、空調装置３００を有していない（図１８参照）。
【０１９１】
パーティション１Ｄは、第１構造体１００Ｄに接続され、第１構造体１００Ｄと接続される側の第１端部２１０Ｄと第１端部２１０Ｄとは遠位側の第２端部２２０Ｄとを有し。空間Ｓａを隣接空間Ｓｎに対して仕切るように変形する仕切部２００Ｄを有する（図１６参照）。そして、パーティション１Ｄには、空気環境調整部としての空調装置３００に代えて、仕切部２００Ｄに、空気環境調整部２３０Ｄの冷却部及び／又は加熱部として、蓄熱部２３２Ｄが設けられる。蓄熱部２３２Ｄは、例えば、図１７のように、各縦フレーム２５０Ｄの内部に設けられ、蓄熱部２３２Ｄには蓄熱材２３２Ｄａが収容される。蓄熱部２３２Ｄを冷却部として用いたい場合には、不使用時に蓄熱部２３２Ｄが冷却装置で冷却される。また、蓄熱部２３２Ｄを加熱部として用いたい場合には、不使用時に蓄熱部２３２Ｄが加熱装置で加熱される。なお、蓄熱部２３２Ｄに冷却部及び加熱部の両方の機能をもたせる場合には、蓄熱部２３２Ｄには、冷却部としての機能に適した蓄熱材２３２Ｄａと、これとは別の加熱部としての機能に適した蓄熱材２３２Ｄａとが収容されることが好ましい。仕切部２００Ｄに蓄熱部２３２Ｄとしての機能をもたせることで、パーティション１の使用時には、蓄熱材の輻射熱で空気を冷却／加熱することができる。
【０１９２】
上述のようなパーティション１Ｄでは、パーティション１等と比べて構成・構造を単純化しつつ、空気の冷却や加熱を実現することができる。
【０１９３】
なお、パーティション１Ｄでは、空気環境調整部２３０Ｄは電力を使用しないため、空気環境調整部２３０Ｄに電力を供給するための蓄電池１０は不要である。また、このように構成される場合には、空気環境調整部２３０Ｄによる空気の冷却／加熱は制御できないため、制御装置４００には空気環境調整部２３０Ｄの制御機能は不要である。
【０１９４】
なお、ここでは、パーティション１Ｄは空調装置３００を有さないが、パーティション１Ｄは、空気環境調整部２３０Ｄの冷却部及び／又は加熱部として蓄熱部２３２Ｄに加え、空気環境調整部としての空調装置３００や、気流生成部としてのファンを有していてもよい。ファンは、例えば、第１構造体１００Ｄのケーシング１１０Ｄの内部又は外部、又は、仕切部２００Ｄに設けられる。ファンは、第２状態の仕切部２００Ｄの表面の少なくとも一部に沿って空気の流れを生成してもよい。
【０１９５】
＜第３実施形態＞
第３実施形態のパーティション１Ｅについて説明する。なお、第３実施形態のパーティション１Ｅは、第１実施形態のパーティションと同様での点も多いので、相違点以外の説明は、その多くを省略する。なお、パーティション１Ｅには、第１及び第２実施形態及びその変形例で説明したパーティションの特徴の一部又は全部を、矛盾のない範囲で適宜適用可能である。
【０１９６】
第１実施形態では、パーティション１は空調装置３００を有している。これに対し、図１９のパーティション１Ｅは、空調装置３００を有していない（図２０参照）。
【０１９７】
パーティション１Ｅは、第１構造体１００Ｅに接続され、第１構造体１００Ｅと接続される側の第１端部２１０Ｅと第１端部２１０Ｅとは遠位側の第２端部２２０Ｅとを有し。空間Ｓａを隣接空間Ｓｎに対して仕切るように変形する仕切部２００Ｅを有する（図１９参照）。そして、パーティション１Ｅには、空気環境調整部としての空調装置３００に代えて、仕切部２００Ｅに、空気環境調整部２８０Ｅが設けられる。空気環境調整部２８０Ｅは、冷却部２８０Ｅａとしてのペルチェ素子や、空気環境調整部の加熱部２８０Ｅｂとしての電熱ヒータを有する（図２０参照）。このように構成されることで、使用時には、冷却部２８０Ｅａや加熱部２８０Ｅｂの輻射熱で空気を加熱、冷却することができる。
【０１９８】
なお、冷却部２８０Ｅａとしてのペルチェ素子や、加熱部２８０Ｅｂとしての電熱ヒータには、例えばケーシング１１０Ｅに収容された蓄電池１０から電力が供給されることが好ましい。
【０１９９】
また、冷却部２８０Ｅａ及び加熱部２８０Ｅｂは、仕切部２００Ｅの第１面２００Ｅａ及び仕切部２００Ｅの第２面２００Ｅｂにそれぞれ設けられることが好ましい。そして、パーティション１Ｅでは、例えば、空気環境調整部２８０Ｅの動作を制御する制御装置４００の機器制御部４１０が、仕切部２００Ｅが第１面２００Ｅａ側に凸の第１形態を取る場合には第２面２００Ｅｂ側の冷却部２８０Ｅａ又は加熱部２８０Ｅｂを、第２面２００Ｅｂ側に凸の第２形態を取る場合には第１面２００Ｅａ側の冷却部２８０Ｅａ又は加熱部２８０Ｅｂを作動させるように構成されることが好ましい。
【０２００】
なお、パーティション１Ｅには、気流生成部としてのファンがさらに設けられてもよい。例えば、ファンは、第１構造体１００Ｅのケーシング１１０Ｅの内部又は外部、又は、仕切部２００Ｅに設けられる。ファンは、第２状態の仕切部２００Ｅの表面の少なくとも一部に沿って空気の流れを生成してもよい。
【０２０１】
＜第４実施形態＞
図２１及び図２２を参照しながら、第４実施形態のパーティション１Ｆについて説明する。図２１は、パーティション１Ｆの概略斜視図である。図２２は、パーティション１Ｆに含まれる空調装置３００Ｆの概略構成図である。
【０２０２】
第４実施形態のパーティション１Ｆは、第１実施形態のパーティションと同様での点も多いので、説明の重複を避けるため、相違点以外の説明は基本的に省略する。なお、パーティション１Ｆには、第１実施形態〜第３実施形態及びその変形例で説明したパーティションの特徴の一部又は全部を、矛盾のない範囲で適宜適用可能である。
【０２０３】
パーティション１Ｆは、図２１及び図２２のように、仕切部２００Ｆと、第１構造体１００Ｆと、空調装置３００Ｆとを有する。仕切部２００Ｆ、第１構造体１００Ｆ、及び空調装置３００Ｆは、第１実施形態のパーティション１の仕切部２００、第１構造体１００、及び空調装置３００と主に以下の点で相違する。
【０２０４】
空調装置３００Ｆは、利用側ファン３５０は有さない。空調装置３００Ｆは、利用側熱交換器３３０に接続される第１流体回路７００を含む。空調装置３００Ｆの利用側熱交換器３３０は、タイプを限定するものではないが、例えばプレート式熱交換器である。空調装置３００Ｆの利用側熱交換器３３０では、冷媒回路３２０を流れる冷媒が、空気ではなく、第１流体回路７００を流れる第１流体と熱交換する。第１流体は、限定するものではないが、例えば熱媒体としての水や油である。第１流体回路７００は、仕切部２００Ｆの内部に設けられた配管７２０を含む。図２２は、仕切部２００Ｆの内部に複数の配管７２０が並列に配置される態様を描画しているが、仕切部２００Ｆの内部にどのように配管７２０を配置するかは、適宜決定されればよい。第１流体回路７００には、ポンプ７１０が設けられる。ポンプ７１０は、例えば第１構造体１００Ｆの内部に配置される。ポンプ７１０が駆動されることで第１流体回路７００中を第１流体が循環し、利用側熱交換器３３０で冷媒と熱交換した第１流体が仕切部２００Ｆの内部を流れる。
【０２０５】
パーティション１Ｆをこのような構造とすることで、利用側熱交換器３３０で冷却や加熱された第１流体と室内温度との温度差による対流や、利用側熱交換器３３０で冷却や加熱された第１流体の輻射で、仕切部２００Ｆ周りの空気を冷却や加熱できる。
【０２０６】
なお、ここでは、蒸気圧縮式の冷凍サイクル装置を利用して第１流体を冷却又は加熱する場合を例に説明したが、第１流体は蒸気圧縮式の冷凍サイクル装置を利用するものでなくてもよい。例えば、パーティション１Ｆは、オイルヒータのように、仕切部２００Ｆの内部に第１流体の循環流路を形成し、第１構造体１００Ｆの内部又は仕切部２００Ｆに設けられた電熱器で第１流体を温めることで、循環流路内で第１流体を循環させてもよい。このように構成することで、仕切部２００Ｆ周りの空気を加熱できる。
【０２０７】
なお、パーティション１Ｆの第１構造体１００Ｆには、第１構造体１００Ｆに配置される図示しない吹出口から空気を吹き出させる気流生成部が更に設けられてもよい。吹出口は、第２状態の仕切部２００Ｆの表面の少なくとも一部に沿って空気を吹き出すことが好ましい。また、気流生成部は、仕切部２００Ｆに設けられてもよい。そして、パーティション１Ｆは、第１流体回路７００で第１流体を循環させて第１構造体１００Ｆの内部に第１流体を流しつつ、気流生成部から第２状態の仕切部２００Ｆの表面の少なくとも一部に沿って空気を吹き出してもよい。このように構成することで、第１流体による空気の冷却や加熱が促進されやすい。
【０２０８】
以上、本開示の実施形態を説明したが、特許請求の範囲に記載された本開示の趣旨及び範囲から逸脱することなく、形態や詳細の多様な変更が可能なことが理解されるであろう。
【産業上の利用可能性】
【０２０９】
空間を仕切り、利用者に快適な空間を提供するパーティションとして有用である。
【符号の説明】
【０２１０】
１，１Ａ，１Ｂ，１Ｃ，１Ｄ，１Ｅ，１Ｆ  パーティション
１０  蓄電池
２０  人検知センサ
３０  香り放出装置（放出部）
４０  照明装置
１００，１００’，１００Ａ，１００Ｃ，１００Ｄ，１００Ｅ，１００Ｆ  第１構造体
１２０  脚部
２００，２００Ｂ，２００Ｃ，２００Ｄ，２００Ｅ，２００Ｆ  仕切部（可変型仕切部）
２００ａ，２００Ｂａ，２００Ｃａ，２００Ｅａ  第１面
２００ｂ，２００Ｂｂ，２００Ｃｂ，２００Ｅｂ  第２面
２１０，２１０Ｂ，２１０Ｃ，２１０Ｄ，２１０Ｅ  第１端部
２２０，２２０Ｂ，２２０Ｃ，２２０Ｄ，２２０Ｅ  第２端部
２３０Ｄ  空気環境調整部
２３２Ｄ  蓄熱部（加熱部／冷却部）
２３２Ｄａ  蓄熱材
２８０Ｅ  空気環境調整部
２８０Ｅａ  冷却部
２８０Ｅｂ  加熱部
３００，３００Ｆ  空調装置（空気環境調整部）
３３０  利用側熱交換器（冷却部／加熱部）
３４２  蓄熱材
３５１ａ  フィルタ
３５２  吹出口
３５７  吹出口
３５８  水平方向風向調節機構（風向調節機構）
３５９  上下方向風向調節機構（風向調節機構）
４１０  機器制御部（制御部）
４１２  覚醒度把握部
４３０  通信部
５００  外部機器
６００  気流生成部
Ｓ１  第１空間
Ｓ２  第２空間
Ｓａ  空間（所定空間）
Ｓｎ  隣接空間
【先行技術文献】
【特許文献】
【０２１１】
【特許文献１】特開２０００−８３７８２号公報
【図１】
2020033865.tif 000003
【図２】
2020033865.tif 000004
【図３】
2020033865.tif 000005
【図４Ａ】
2020033865.tif 000006
【図４Ｂ】
2020033865.tif 000007
【図４Ｃ】
2020033865.tif 000008
【図５】
2020033865.tif 000009
【図６】
2020033865.tif 000010
【図７】
2020033865.tif 000011
【図８】
2020033865.tif 000012
【図９】
2020033865.tif 000013
【図１０】
2020033865.tif 000014
【図１１】
2020033865.tif 000015
【図１２】
2020033865.tif 000016
【図１３】
2020033865.tif 000017
【図１４Ａ】
2020033865.tif 000018
【図１４Ｂ】
2020033865.tif 000019
【図１５】
2020033865.tif 000020
【図１６】
2020033865.tif 000021
【図１７】
2020033865.tif 000022
【図１８】
2020033865.tif 000023
【図１９】
2020033865.tif 000024
【図２０】
2020033865.tif 000025
【図２１】
2020033865.tif 000026
【図２２】
2020033865.tif 000027
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
第１構造体（１００，１００’，１００Ａ，１００Ｃ，１００Ｄ，１００Ｅ，１００Ｆ）と、
前記第１構造体に接続され、前記第１構造体と接続される側の第１端部（２１０，２１０Ｂ，２１０Ｃ，２１０Ｄ，２１０Ｅ）と前記第１端部とは遠位側の第２端部（２２０，２２０Ｂ，２２０Ｃ，２２０Ｄ，２２０Ｅ）とを有し、所定空間（Ｓａ）を隣接空間（Ｓｎ）に対して仕切るように変形する可変形仕切部（２００，２００Ｂ，２００Ｃ，２００Ｄ，２００Ｅ，２００Ｆ）と、
前記第１構造体及び前記可変形仕切部の少なくとも一方に配置され、空気を冷却する冷却部（３３０，２３２Ｄ，２８０Ｅａ）、空気を加熱する加熱部（３３０，２３２Ｄ，２８０Ｅｂ）、及び気流を生成する気流生成部（６００）の少なくとも１つを有する空気環境調整部（３００，２３０Ｄ，２８０Ｅ，３００Ｆ）と、
を備え、
前記可変形仕切部は、前記第１構造体の内部に収容される、又は前記第１構造体の外周に巻き回される、又は前記第１構造体の近傍で折り畳まれる第１状態と、前記可変形仕切部を水平方向に全方位から見たときの面積の最大値が、前記第１状態に比べて大きな第２状態と、に変形可能であり、
前記可変形仕切部は、形態の異なる複数の前記第２状態を取ることが可能であり、
前記可変形仕切部は、第１面（２００ａ，２００Ｂａ，２００Ｃａ，２００Ｅａ）と前記第１面とは反対側に配置される第２面（２００ｂ，２００Ｂｂ，２００Ｃｂ，２００Ｅｂ）とを有し、
前記可変形仕切部は、前記第１面側に凸の第１形態と、前記第２面側に凸の第２形態と、を前記第２状態として取ることが可能である、
パーティション（１，１Ａ，１Ｂ，１Ｃ，１Ｄ，１Ｅ，１Ｆ）。
【請求項２】
前記空気環境調整部は、前記気流生成部を少なくとも有し、
前記気流生成部は、前記可変形仕切部が前記第２状態として前記第１形態と前記第２形態とのいずれを取るかに応じて異なる気流を生成する、
請求項１に記載のパーティション。
【請求項３】
前記空気環境調整部は、前記第１構造体に配置される吹出口（３５２）から空気を吹き出させる前記気流生成部を少なくとも有し、
前記吹出口は、前記可変形仕切部の前記第１端部の近傍に配置される、
請求項１に記載のパーティション。
【請求項４】
前記吹出口は、前記第２状態の前記可変形仕切部の表面の少なくとも一部に沿って空気を吹き出す、
請求項３に記載のパーティション。
【請求項５】
前記空気環境調整部は、前記可変形仕切部に配置される吹出口（３５７）から空気を吹き出させる前記気流生成部を少なくとも有する、
請求項１に記載のパーティション。
【請求項６】
前記気流生成部は、風向を調節する風向調節機構（３５８，３５９）を更に有する、
請求項５に記載のパーティション。
【請求項７】
前記第１構造体は、第１方向を軸方向として延びる柱状形状を有し、
前記第１方向が上下方向になるように前記第１構造体が設置される場合には、前記第２状態において、前記可変形仕切部の前記第１端部と前記第２端部とは、同一高さであって水平方向に離れた位置に配置され、
前記第１方向が水平方向になるように前記第１構造体が設置される場合には、前記第２状態において、前記可変形仕切部の前記第１端部と前記第２端部とは、異なる高さに配置される、
請求項１から６のいずれか１項に記載のパーティション。
【請求項８】
前記空気環境調整部は、前記可変形仕切部の内部に第１流体を流す、
請求項１から７のいずれか１項に記載のパーティション。
【請求項９】
前記第１流体は空気である、
請求項８に記載のパーティション。
【請求項１０】
前記冷却部（２３２Ｄ）及び前記加熱部（２３２Ｄ）の少なくとも一方は、蓄熱材（２３２Ｄａ）を有する、
請求項１から７のいずれか１項に記載のパーティション。
【請求項１１】
前記空気環境調整部は、前記第１構造体内に設けられるヒートポンプで空気を冷却する前記冷却部（３３０）、及び、前記第１構造体内に設けられるヒートポンプで空気を加熱する前記加熱部（３３０）の少なくとも一方を有し、
前記ヒートポンプで空気を冷却する際及び前記ヒートポンプで空気を加熱する際に生じる廃熱は、
Ａ）前記廃熱が前記所定空間の温度に与える影響の小さな第１空間（Ｓ１）、又は、前記パーティションが有する人検知センサ（２０）の検知結果に基づき人がいないと判断される第２空間（Ｓ２）に排熱される、
又は、
Ｂ）前記第１構造体内に設けられた蓄熱材（３４２）に蓄熱される、
請求項１から９のいずれか１項に記載のパーティション。
【請求項１２】
前記空気環境調整部に対して電力を供給する蓄電池（１０）を更に備え、
前記パーティションは可搬式である、
請求項１から１１のいずれか１項に記載のパーティション。
【請求項１３】
前記第１構造体は、上下方向を軸方向として延びる柱状形状を有し、
前記第１構造体は、自立支援用の脚部（１２０）を有する、
請求項１から６のいずれか１項に記載のパーティション。
【請求項１４】
前記所定空間にいる人の覚醒度を把握する覚醒度把握部（４１２）と、
前記覚醒度把握部の把握した前記人の覚醒度に応じて、前記空気環境調整部（３００，２８０Ｅ）、前記パーティションに設けられている芳香物質を放出する放出部（３０）、及び前記パーティションに設けられている照明装置（４０）、の少なくとも１つを制御する制御部（４１０）と、
を更に備える、
請求項１から１３のいずれか１項に記載のパーティション。
【請求項１５】
前記所定空間にいる人に関する情報を記憶する外部機器（５００）と通信を行う通信部（４３０）と、
前記外部機器から前記通信部を介して受信した前記所定空間にいる人に関する情報、又は、前記通信部を介して受信した前記外部機器が前記所定空間にいる人に関する情報に基づいて生成した指令に基づいて、前記空気環境調整部を制御する制御部（４１０）と、
を更に備える、
請求項１から１３のいずれか１項に記載のパーティション。
【請求項１６】
前記気流生成部は、空気中の塵埃を除去するフィルタ（３５１ａ）を含む、
請求項１から１５のいずれか１項に記載のパーティション。